(57)【要約】  本開示は、狭帯域ＰＢＣＨ伝送方法および装置を開示している。本開示の各実施例において、ネットワーク側機器は、少なくともＣＲＳ伝送指示情報を携帯している狭帯域ＰＢＣＨを伝送する。より具体的に、当該ＣＲＳ伝送指示情報は、ＬＴＥシステムのＣＲＳのポート数および周波数領域位置のうちの１つまたは複数の組み合わせを指示する。当該ＣＲＳ伝送指示情報によって、ＬＴＥ端末と同時にＬＴＥ帯域幅内で動作する狭帯域端末は、ＬＴＥシステムにおけるＣＲＳを取得することができ、さらに狭帯域の下りリンク伝送においてＬＴＥシステムのＣＲＳを使用して復調を行うことができ、当該ＣＲＳに基づいた信号受信が実現する。【選択図】  図３
2019507531.tif 000002
【特許請求の範囲】
【請求項１】
少なくともＣＲＳ伝送指示情報を携帯しているＮＢ−ＰＢＣＨをネットワーク側機器によって伝送することを含むＮＢ−ＰＢＣＨ伝送方法。
【請求項２】
前記ＣＲＳ伝送指示情報は、ＬＴＥシステムにおけるＣＲＳポート数指示情報、ＬＴＥシステムにおけるＣＲＳ周波数領域位置指示情報のうちの１つまたは任意の組み合わせを含む請求項１に記載の方法。
【請求項３】
前記ＣＲＳポート数指示情報は、１ポートまたは２ポートＣＲＳ伝送のうちの１つを指示するための１ビットＣＲＳポート数指示情報、または、１ポート、２ポートまたは４ポートＣＲＳ伝送のうちの１つを指示するための２ビットＣＲＳポート数指示情報を含む請求項２に記載の方法。
【請求項４】
前記ＣＲＳ周波数領域位置指示情報は、ＬＴＥシステム帯域幅および当該ＬＴＥシステム帯域幅における前記狭帯域伝送のＲＢ位置を指示するためのものである請求項２に記載の方法。
【請求項５】
前記ＣＲＳ周波数領域位置指示情報は、ＬＴＥシステム帯域幅を指示するためのＮビット指示情報および前記ＬＴＥシステム帯域幅における前記狭帯域伝送のＲＢ番号または位置を指示するためのＢビット指示情報を含み、または、ＬＴＥシステム帯域幅と当該ＬＴＥシステム帯域幅における前記狭帯域伝送のＲＢ番号または位置との結合情報を指示するためのＫビット指示情報を含む請求項４に記載の方法。
【請求項６】
前記Ｎは、
【数１】
2019507531.tif 000092
または３であり、
および／または、
前記Ｂは、
【数２】
2019507531.tif 000093
または
【数３】
2019507531.tif 000094
または
【数４】
2019507531.tif 000095
または７である請求項５に記載の方法。
【請求項７】
前記Ｋは、
【数５】
2019507531.tif 000096
または９または８である請求項５に記載の方法。
【請求項８】
前記ＣＲＳ周波数領域位置指示情報は、ＬＴＥシステムにおける特定周波数領域位置に対する前記狭帯域伝送の位置する周波数領域位置の偏移量を指示するためのものである請求項２に記載の方法。
【請求項９】
前記ＣＲＳ周波数領域位置指示情報は、前記狭帯域伝送の位置する周波数領域リソースがＬＴＥシステム帯域幅で中心周波数を基準に区分された高周波帯か低周波帯かに位置することを指示するための１ビット指示情報、および、中心周波数に対する前記狭帯域伝送の位置する周波数領域位置の偏移量を指示するためのＣビット指示情報を含む請求項８に記載の方法。
【請求項１０】
前記偏移量は、サブキャリア偏移量であり、または、二分の一のＲＢまたは６個のサブキャリアを単位に算出された偏移量である請求項９に記載の方法。
【請求項１１】
前記偏移量がサブキャリア偏移量である場合、
前記Ｃは、
【数６】
2019507531.tif 000097
または１０であり、
または、前記偏移量が二分の一のＲＢまたは６個のサブキャリアを単位に算出された偏移量である場合、
前記Ｃは、
【数７】
2019507531.tif 000098
または７である請求項１０に記載の方法。
【請求項１２】
前記ＣＲＳ周波数領域位置指示情報は、ＬＴＥシステム帯域幅に含まれる使用可能なＲＢ数が奇数であるか偶数であるかを指示するための１ビット指示情報、前記狭帯域伝送の位置する周波数領域リソースがＬＴＥシステム帯域幅で中心周波数を基準に区分された高周波帯か低周波帯かに位置することを指示するための１ビット指示情報、および、ＬＴＥシステム帯域幅の中心周波数または中心ＲＢに対する前記狭帯域伝送の位置する周波数領域位置のＲＢ偏移量（当該偏移量が整数個のＲＢである。）を指示するためのＤビット指示情報を含む請求項８に記載の方法。
【請求項１３】
前記Ｄは、
【数８】
2019507531.tif 000099
または６である請求項１２に記載の方法。
【請求項１４】
前記ＣＲＳ周波数領域位置指示情報は、ＬＴＥシステムのＣＲＳシーケンスで、前記狭帯域伝送の位置する周波数領域リソースに対応するＣＲＳの相対的位置を指示するためのものである請求項２に記載の方法。
【請求項１５】
前記ＣＲＳ周波数領域位置指示情報は、前記狭帯域伝送の位置する周波数領域リソースがＬＴＥシステム帯域幅で中心周波数を基準に区分された高周波帯であるか低周波帯であるかを指示するための１ビット指示情報、および、中心周波数のＣＲＳに対する前記狭帯域伝送に占用される周波数領域リソースに対応するＣＲＳの偏移量を指示するためのＥビット指示情報を含む請求項１４に記載の方法。
【請求項１６】
前記Ｅは、
【数９】
2019507531.tif 000100
または７である請求項１５に記載の方法。
【請求項１７】
前記狭帯域ＰＢＣＨには、当該狭帯域にＬＴＥ制御領域が含まれるかを指示するための指示情報、ＬＴＥ制御領域のサイズを指示するための指示情報のうちの１つまたは組み合わせをさらに携帯する請求項１〜１６のいずれか一項に記載の方法。
【請求項１８】
ＣＲＳ伝送指示情報を携帯しているＮＢ−ＰＢＣＨを端末側機器によって受信することを含むＮＢ−ＰＢＣＨ伝送方法。
【請求項１９】
前記ＣＲＳ伝送指示情報は、ＬＴＥシステムにおけるＣＲＳポート数指示情報、ＬＴＥシステムにおけるＣＲＳ周波数領域位置指示情報のうちの１つまたは任意の組み合わせを含む請求項１８に記載の方法。
【請求項２０】
前記ＣＲＳポート数指示情報は、１ポートまたは２ポートＣＲＳ伝送のうちの１つを指示するための１ビットＣＲＳポート数指示情報、または、１ポート、２ポートまたは４ポートＣＲＳ伝送のうちの１つを指示するための２ビットＣＲＳポート数指示情報を含む請求項１９に記載の方法。
【請求項２１】
前記ＣＲＳ周波数領域位置指示情報は、ＬＴＥシステム帯域幅および当該ＬＴＥシステム帯域幅における前記狭帯域伝送のＲＢ位置を指示するためのものである請求項１９に記載の方法。
【請求項２２】
前記ＣＲＳ周波数領域位置指示情報は、ＬＴＥシステム帯域幅を指示するためのＮビット指示情報および前記ＬＴＥシステム帯域幅における前記狭帯域伝送のＲＢ番号または位置を指示するためのＢビット指示情報を含み、または、ＬＴＥシステム帯域幅と当該ＬＴＥシステム帯域幅における前記狭帯域伝送のＲＢ番号または位置との結合情報を指示するためのＫビット指示情報を含む請求項２１に記載の方法。
【請求項２３】
前記Ｎは、
【数１０】
2019507531.tif 000101
または３であり、
および／または、
前記Ｂは、
【数１１】
2019507531.tif 000102
または
【数１２】
2019507531.tif 000103
または
【数１３】
2019507531.tif 000104
または７である請求項２２に記載の方法。
【請求項２４】
前記Ｋは、
【数１４】
2019507531.tif 000105
または９または８である請求項２２に記載の方法。
【請求項２５】
前記ＣＲＳ周波数領域位置指示情報は、ＬＴＥシステムにおける特定周波数領域位置に対する前記狭帯域伝送の位置する周波数領域位置の偏移量を指示するためのものである請求項１９に記載の方法。
【請求項２６】
前記ＣＲＳ周波数領域位置指示情報は、前記狭帯域伝送の位置する周波数領域リソースがＬＴＥシステム帯域幅で中心周波数を基準に区分された高周波帯か低周波帯かに位置することを指示するための１ビット指示情報、および、中心周波数に対する前記狭帯域伝送の位置する周波数領域位置の偏移量を指示するためのＣビット指示情報を含む請求項２５に記載の方法。
【請求項２７】
前記偏移量は、サブキャリア偏移量であり、または、二分の一のＲＢまたは６個のサブキャリアを単位に算出された偏移量である請求項２６に記載の方法。
【請求項２８】
前記偏移量がサブキャリア偏移量である場合、
前記Ｃは、
【数１５】
2019507531.tif 000106
または１０であり、
または、前記偏移量が二分の一のＲＢまたは６個のサブキャリアを単位に算出された偏移量である場合、
前記Ｃは、
【数１６】
2019507531.tif 000107
または７である請求項２７に記載の方法。
【請求項２９】
前記ＣＲＳ周波数領域位置指示情報は、ＬＴＥシステム帯域幅に含まれる使用可能なＲＢ数が奇数であるか偶数であるかを指示するための１ビット指示情報、前記狭帯域伝送の位置する周波数領域リソースがＬＴＥシステム帯域幅で中心周波数を基準に区分された高周波帯か低周波帯かに位置することを指示するための１ビット指示情報、および、ＬＴＥシステム帯域幅の中心周波数または中心ＲＢに対する前記狭帯域伝送の位置する周波数領域位置のＲＢ偏移量（当該偏移量が整数個のＲＢである。）を指示するためのＤビット指示情報を含む請求項２５に記載の方法。
【請求項３０】
前記Ｄは、
【数１７】
2019507531.tif 000108
または６である請求項２９に記載の方法。
【請求項３１】
前記ＣＲＳ周波数領域位置指示情報は、ＬＴＥシステムのＣＲＳシーケンスで、前記狭帯域伝送の位置する周波数領域リソースに対応するＣＲＳの相対的位置を指示するためのものである請求項１９に記載の方法。
【請求項３２】
前記ＣＲＳ周波数領域位置指示情報は、前記狭帯域伝送の位置する周波数領域リソースがＬＴＥシステム帯域幅で中心周波数を基準に区分された高周波帯であるか低周波帯であるかを指示するための１ビット指示情報、および、中心周波数のＣＲＳに対する前記狭帯域伝送に占用される周波数領域リソースに対応するＣＲＳの偏移量を指示するためのＥビット指示情報を含む請求項３１に記載の方法。
【請求項３３】
前記Ｅは、
【数１８】
2019507531.tif 000109
または７である請求項３２に記載の方法。
【請求項３４】
前記狭帯域ＰＢＣＨには、当該狭帯域にＬＴＥ制御領域が含まれるかを指示するための指示情報、ＬＴＥ制御領域のサイズを指示するための指示情報のうちの１つまたは組み合わせをさらに携帯する請求項１８〜３３のいずれか一項に記載の方法。
【請求項３５】
前記ＣＲＳ伝送指示情報に基づいてＣＲＳを受信することをさらに含む請求項１８に記載の方法。
【請求項３６】
ＣＲＳ伝送指示情報を狭帯域ＰＢＣＨに携帯させるための処理モジュールと、前記狭帯域ＰＢＣＨを伝送するための伝送モジュールを含むＮＢ−ＰＢＣＨ伝送装置。
【請求項３７】
前記ＣＲＳ伝送指示情報は、ＬＴＥシステムにおけるＣＲＳポート数指示情報、ＬＴＥシステムにおけるＣＲＳ周波数領域位置指示情報のうちの１つまたは任意の組み合わせを含む請求項３６に記載の装置。
【請求項３８】
前記ＣＲＳポート数指示情報は、１ポートまたは２ポートＣＲＳ伝送のうちの１つを指示するための１ビットＣＲＳポート数指示情報、または、１ポート、２ポートまたは４ポートＣＲＳ伝送のうちの１つを指示するための２ビットＣＲＳポート数指示情報を含む請求項３７に記載の装置。
【請求項３９】
前記ＣＲＳ周波数領域位置指示情報は、ＬＴＥシステム帯域幅および当該ＬＴＥシステム帯域幅における前記狭帯域伝送のＲＢ位置を指示するためのものである請求項３７に記載の装置。
【請求項４０】
前記ＣＲＳ周波数領域位置指示情報は、ＬＴＥシステム帯域幅を指示するためのＮビット指示情報および前記ＬＴＥシステム帯域幅における前記狭帯域伝送のＲＢ番号または位置を指示するためのＢビット指示情報を含み、または、ＬＴＥシステム帯域幅と当該ＬＴＥシステム帯域幅における前記狭帯域伝送のＲＢ番号または位置との結合情報を指示するためのＫビット指示情報を含む請求項３９に記載の装置。
【請求項４１】
前記Ｎは、
【数１９】
2019507531.tif 000110
または３であり、
および／または、
前記Ｂは、
【数２０】
2019507531.tif 000111
または
【数２１】
2019507531.tif 000112
または
【数２２】
2019507531.tif 000113
または７である請求項４０に記載の装置。
【請求項４２】
前記Ｋは、
【数２３】
2019507531.tif 000114
または９または８である請求項４０に記載の装置。
【請求項４３】
前記ＣＲＳ周波数領域位置指示情報は、ＬＴＥシステムにおける特定周波数領域位置に対する前記狭帯域伝送の位置する周波数領域位置の偏移量を指示するためのものである請求項３７に記載の装置。
【請求項４４】
前記ＣＲＳ周波数領域位置指示情報は、前記狭帯域伝送の位置する周波数領域リソースがＬＴＥシステム帯域幅で中心周波数を基準に区分された高周波帯か低周波帯かに位置することを指示するための１ビット指示情報、および、中心周波数に対する前記狭帯域伝送の位置する周波数領域位置の偏移量を指示するためのＣビット指示情報を含む請求項４３に記載の装置。
【請求項４５】
前記偏移量は、サブキャリア偏移量であり、または、二分の一のＲＢまたは６個のサブキャリアを単位に算出された偏移量である請求項４４に記載の装置。
【請求項４６】
前記偏移量がサブキャリア偏移量である場合、
前記Ｃは、
【数２４】
2019507531.tif 000115
または１０であり、
または、前記偏移量が二分の一のＲＢまたは６個のサブキャリアを単位に算出された偏移量である場合、
前記Ｃは、
【数２５】
2019507531.tif 000116
または７である請求項４５に記載の装置。
【請求項４７】
前記ＣＲＳ周波数領域位置指示情報は、ＬＴＥシステム帯域幅に含まれる使用可能なＲＢ数が奇数であるか偶数であるかを指示するための１ビット指示情報、前記狭帯域伝送の位置する周波数領域リソースがＬＴＥシステム帯域幅で中心周波数を基準に区分された高周波帯か低周波帯かに位置することを指示するための１ビット指示情報、および、ＬＴＥシステム帯域幅の中心周波数または中心ＲＢに対する前記狭帯域伝送の位置する周波数領域位置のＲＢ偏移量（当該偏移量が整数個のＲＢである。）を指示するためのＤビット指示情報を含む請求項４３に記載の装置。
【請求項４８】
前記Ｄは、
【数２６】
2019507531.tif 000117
または６である請求項４７に記載の装置。
【請求項４９】
前記ＣＲＳ周波数領域位置指示情報は、ＬＴＥシステムのＣＲＳシーケンスで、前記狭帯域伝送の位置する周波数領域リソースに対応するＣＲＳの相対的位置を指示するためのものである請求項３７に記載の装置。
【請求項５０】
前記ＣＲＳ周波数領域位置指示情報は、前記狭帯域伝送の位置する周波数領域リソースがＬＴＥシステム帯域幅で中心周波数を基準に区分された高周波帯であるか低周波帯であるかを指示するための１ビット指示情報、および、中心周波数のＣＲＳに対する前記狭帯域伝送に占用される周波数領域リソースに対応するＣＲＳの偏移量を指示するためのＥビット指示情報を含む請求項４９に記載の装置。
【請求項５１】
前記Ｅは、
【数２７】
2019507531.tif 000118
または７である請求項５０に記載の装置。
【請求項５２】
前記狭帯域ＰＢＣＨには、当該狭帯域にＬＴＥ制御領域が含まれるかを指示するための指示情報、ＬＴＥ制御領域のサイズを指示するための指示情報のうちの１つまたは組み合わせをさらに携帯する請求項３６〜５１のいずれか一項に記載の装置。
【請求項５３】
少なくともＣＲＳ伝送指示情報を携帯しているＮＢ−ＰＢＣＨを受信するための第１受信モジュールを含むＮＢ−ＰＢＣＨ伝送装置。
【請求項５４】
前記ＣＲＳ伝送指示情報は、ＬＴＥシステムにおけるＣＲＳポート数指示情報、ＬＴＥシステムにおけるＣＲＳ周波数領域位置指示情報のうちの１つまたは任意の組み合わせを含む請求項５３に記載の装置。
【請求項５５】
前記ＣＲＳポート数指示情報は、１ポートまたは２ポートＣＲＳ伝送のうちの１つを指示するための１ビットＣＲＳポート数指示情報、または、１ポート、２ポートまたは４ポートＣＲＳ伝送のうちの１つを指示するための２ビットＣＲＳポート数指示情報を含む請求項５４に記載の装置。
【請求項５６】
前記ＣＲＳ周波数領域位置指示情報は、ＬＴＥシステム帯域幅および当該ＬＴＥシステム帯域幅における前記狭帯域伝送のＲＢ位置を指示するためのものである請求項５４に記載の装置。
【請求項５７】
前記ＣＲＳ周波数領域位置指示情報は、ＬＴＥシステム帯域幅を指示するためのＮビット指示情報および前記ＬＴＥシステム帯域幅における前記狭帯域伝送のＲＢ番号または位置を指示するためのＢビット指示情報を含み、または、ＬＴＥシステム帯域幅と当該ＬＴＥシステム帯域幅における前記狭帯域伝送のＲＢ番号または位置との結合情報を指示するためのＫビット指示情報を含む請求項５６に記載の装置。
【請求項５８】
前記Ｎは、
【数２８】
2019507531.tif 000119
または３であり、
および／または、
前記Ｂは、
【数２９】
2019507531.tif 000120
または
【数３０】
2019507531.tif 000121
または
【数３１】
2019507531.tif 000122
または７である請求項５７に記載の装置。
【請求項５９】
前記Ｋは、
【数３２】
2019507531.tif 000123
または９または８である請求項５７に記載の装置。
【請求項６０】
前記ＣＲＳ周波数領域位置指示情報は、ＬＴＥシステムにおける特定周波数領域位置に対する前記狭帯域伝送の位置する周波数領域位置の偏移量を指示するためのものである請求項５４に記載の装置。
【請求項６１】
前記ＣＲＳ周波数領域位置指示情報は、前記狭帯域伝送の位置する周波数領域リソースがＬＴＥシステム帯域幅で中心周波数を基準に区分された高周波帯か低周波帯かに位置することを指示するための１ビット指示情報、および、中心周波数に対する前記狭帯域伝送の位置する周波数領域位置の偏移量を指示するためのＣビット指示情報を含む請求項６０に記載の装置。
【請求項６２】
前記偏移量は、サブキャリア偏移量であり、または、二分の一のＲＢまたは６個のサブキャリアを単位に算出された偏移量である請求項６１に記載の装置。
【請求項６３】
前記偏移量がサブキャリア偏移量である場合、
前記Ｃは、
【数３３】
2019507531.tif 000124
または１０であり、
または、前記偏移量が二分の一のＲＢまたは６個のサブキャリアを単位に算出された偏移量である場合、
前記Ｃは、
【数３４】
2019507531.tif 000125
または７である請求項６２に記載の装置。
【請求項６４】
前記ＣＲＳ周波数領域位置指示情報は、ＬＴＥシステム帯域幅に含まれる使用可能なＲＢ数が奇数であるか偶数であるかを指示するための１ビット指示情報、前記狭帯域伝送の位置する周波数領域リソースがＬＴＥシステム帯域幅で中心周波数を基準に区分された高周波帯か低周波帯かに位置することを指示するための１ビット指示情報、および、ＬＴＥシステム帯域幅の中心周波数または中心ＲＢに対する前記狭帯域伝送の位置する周波数領域位置のＲＢ偏移量（当該偏移量が整数個のＲＢである。）を指示するためのＤビット指示情報を含む請求項６０に記載の装置。
【請求項６５】
前記Ｄは、
【数３５】
2019507531.tif 000126
または６である請求項６４に記載の装置。
【請求項６６】
前記ＣＲＳ周波数領域位置指示情報は、ＬＴＥシステムのＣＲＳシーケンスで、前記狭帯域伝送の位置する周波数領域リソースに対応するＣＲＳの相対的位置を指示するためのものである請求項５４に記載の装置。
【請求項６７】
前記ＣＲＳ周波数領域位置指示情報は、前記狭帯域伝送の位置する周波数領域リソースがＬＴＥシステム帯域幅で中心周波数を基準に区分された高周波帯であるか低周波帯であるかを指示するための１ビット指示情報、および、中心周波数のＣＲＳに対する前記狭帯域伝送に占用される周波数領域リソースに対応するＣＲＳの偏移量を指示するためのＥビット指示情報を含む請求項６６に記載の装置。
【請求項６８】
前記Ｅは、
【数３６】
2019507531.tif 000127
または７である請求項５９に記載の装置。
【請求項６９】
前記狭帯域ＰＢＣＨには、当該狭帯域にＬＴＥ制御領域が含まれるかを指示するための指示情報、ＬＴＥ制御領域のサイズを指示するための指示情報のうちの１つまたは組み合わせをさらに携帯する請求項５３〜６８のいずれか一項に記載の装置。
【請求項７０】
バスを介して互いに接続されているプロセッサ、メモリ、トランシーバおよびバスインタフェースを含むネットワーク側機器において、
前記プロセッサは、メモリの中のプログラムを読み取って、少なくともＣＲＳ伝送指示情報を携帯しているＮＢ−ＰＢＣＨを伝送するプロセスを前記ネットワーク側機器に実行させるネットワーク側機器。
【請求項７１】
バスを介して互いに接続されているプロセッサ、メモリ、トランシーバおよびバスインタフェースを含む端末側機器において、
前記プロセッサは、メモリの中のプログラムを読み取って、ＣＲＳ伝送指示情報を携帯しているＮＢ−ＰＢＣＨを受信するプロセスを前記端末側機器に実行させる端末側機器。
【発明の詳細な説明】
【技術分野】
【０００１】
本開示は、通信技術分野に係り、特に狭帯域ＰＢＣＨ（Ｐｈｙｓｉｃａｌ  Ｂｒｏａｄｃａｓｔ  Ｃｈａｎｎｅｌ）伝送方法および装置に係る。
【背景技術】
【０００２】
Ｍ２Ｍ（Ｍａｃｈｉｎｅ−ｔｏ−ｍａｃｈｉｎｅ）通信は、新型の通信理念として、多種類の異なるタイプの通信技術を有機的に結合することによって、社会的生産・生活スタイルの発展を推し進めることがその目的である。Ｍ２Ｍ通信は、通常、小帯域幅システムの通信業務である。
【０００３】
現在の移動通信網は、人と人の間の通信に対し設計されるものであり、移動通信網を利用して小帯域幅システムの通信をサポートすることを希望するのであれば、従来の人と人との通信に影響を与えずまたは与える影響を小さくして小帯域幅システムの通信をより好適に実現することができるよう、小帯域幅システムの通信の特徴に応じて移動通信システムのメカニズムを最適化する必要がある。
【０００４】
ＮＢ−ＩＯＴ（Ｎａｒｒｏｗ  Ｂａｎｄ−Ｉｎｔｅｒｎｅｔ  Ｏｆ  Ｔｈｉｎｇ）システムにおいて、端末の受信帯域幅が１８０ｋＨｚを超えず、すなわちＬＴＥ（Ｌｏｎｇ  Ｔｅｒｍ  Ｅｖｏｌｕｔｉｏｎ）システムの１つのＰＲＢ（Ｐｈｙｓｉｃａｌ  Ｒｅｓｏｕｒｃｅ  Ｂｌｏｃｋ）に相当する。限られた周波帯リソースをできるだけ使用するために、ＮＢ−ＩＯＴにおいて、ｉｎ−ｂａｎｄモードとして従来のＬＴＥシステム帯域幅内の１つのＰＲＢ内で動作してもよく、ｇｕａｒｄ−ｂａｎｄモードとして従来のＬＴＥシステム帯域の間のプロテクション帯域を使用して動作してもよく、さらにｓｔａｎｄ−ａｌｏｎｅモードとしてＮＢ−ＩＯＴに固有の動作帯域幅を割り当てもよい。
【０００５】
ＬＴＥシステムにおいて、同期信号とＰＢＣＨとがいずれもＬＴＥシステム帯域幅内の中間の７２個のサブキャリアで伝送され、ＰＢＣＨの復調がＣＲＳ（Ｃｏｍｍｏｎ  Ｒｅｆｅｒｅｎｃｅ  Ｓｉｇｎａｌ）に基づいて行われる。ＬＴＥ端末は、実際のシステム帯域幅に応じて、システムＣＲＳシーケンスから対応部分のＣＲＳを抽出することができる。ＣＲＳは、帯域幅全体範囲内の各下りリンクサブフレームで伝送される。
【０００６】
ＮＢ−ＩＯＴ端末がＬＴＥシステム帯域幅内で同期信号を検出しさらに狭帯域ＰＢＣＨ（ＮＢ−ＰＢＣＨ）を受信すると、ＮＢ−ＰＢＣＨは、理論上、システム帯域幅内のいずれか１つのＰＲＢで伝送することができる。しかし、ＮＢ−ＩＯＴ端末は、ＰＢＣＨ伝送のあるＰＲＢがＬＴＥシステム帯域幅内のどのＰＲＢであるか分からないため、ＬＴＥシステム内のＣＲＳを使用してデータの復調を行うことができない。
【０００７】
したがって、現在、狭帯域の下りリンク伝送においてＬＴＥシステムのＣＲＳを効果的に使用して復調を行うことのできる新規のＰＢＣＨ伝送手段が期待されている。
【発明の概要】
【発明が解決しようとする課題】
【０００８】
本開示の実施例は、狭帯域の下りリンク伝送においてＬＴＥシステムのＣＲＳを使用して復調を行うことのできる狭帯域ＰＢＣＨ伝送方法および装置を提供する。
【課題を解決するための手段】
【０００９】
本開示の第１態様として、少なくともＣＲＳ伝送指示情報を携帯している狭帯域ＰＢＣＨをネットワーク側機器によって伝送することを含むＰＢＣＨ伝送方法を提供する。
【００１０】
その１つの実行可能な実施例において、前記ＣＲＳ伝送指示情報は、ＬＴＥシステムにおけるＣＲＳポート数指示情報、ＬＴＥシステムにおけるＣＲＳ周波数領域位置指示情報のうちの１つまたは任意の組み合わせを含む。
【００１１】
その１つの実行可能な実施例において、前記ＣＲＳポート数指示情報は、具体的に、１ポートまたは２ポートＣＲＳ伝送のうちの１つを指示するための１ビットＣＲＳポート数指示情報、または、１ポート、２ポートまたは４ポートＣＲＳ伝送のうちの１つを指示するための２ビットＣＲＳポート数指示情報を含む。
【００１２】
その１つの実行可能な実施例において、前記ＣＲＳ周波数領域位置指示情報は、ＬＴＥシステム帯域幅および当該ＬＴＥシステム帯域幅における前記狭帯域伝送のＲＢ（Ｒｅｓｏｕｒｃｅ  Ｂｌｏｃｋ）位置を指示するためのものである。
【００１３】
その１つの実行可能な実施例において、前記ＣＲＳ周波数領域位置指示情報は、ＬＴＥシステム帯域幅を指示するためのＮビット指示情報および前記ＬＴＥシステム帯域幅における前記狭帯域伝送のＲＢ番号または位置を指示するためのＢビット指示情報を含み、または、ＬＴＥシステム帯域幅と当該ＬＴＥシステム帯域幅における前記狭帯域伝送のＲＢ番号または位置との結合情報を指示するためのＫビット指示情報を含む。
【００１４】
その１つの実行可能な実施例において、前記Ｎは、
【数１】
2019507531.tif 000003
または３であり、
および／または、
前記Ｂは、
【数２】
2019507531.tif 000004
または
【数３】
2019507531.tif 000005
または
【数４】
2019507531.tif 000006
または７である。
【００１５】
その１つの実行可能な実施例において、前記Ｋは、
【数５】
2019507531.tif 000007
または９または８である。
【００１６】
その１つの実行可能な実施例において、前記ＣＲＳ周波数領域位置指示情報は、ＬＴＥシステムにおける特定周波数領域位置に対する前記狭帯域伝送の位置する周波数領域位置の偏移量を指示するためのものである。
【００１７】
その１つの実行可能な実施例において、前記ＣＲＳ周波数領域位置指示情報は、前記狭帯域伝送の位置する周波数領域リソースがＬＴＥシステム帯域幅で中心周波数を基準に区分された高周波帯か低周波帯かに位置することを指示するための１ビット指示情報、および、中心周波数に対する前記狭帯域伝送の位置する周波数領域位置の偏移量を指示するためのＣビット指示情報を含む。
【００１８】
その１つの実行可能な実施例において、前記偏移量は、サブキャリア偏移量であり、または、二分の一のＲＢまたは６個のサブキャリアを単位に算出された偏移量である。
【００１９】
その１つの実行可能な実施例において、前記偏移量がサブキャリア偏移量である場合、前記Ｃは、
【数６】
2019507531.tif 000008
または１０であり、
または、前記偏移量が二分の一のＲＢまたは６個のサブキャリアを単位に算出された偏移量である場合、前記Ｃは、
【数７】
2019507531.tif 000009
または７である。
【００２０】
その１つの実行可能な実施例において、前記ＣＲＳ周波数領域位置指示情報は、ＬＴＥシステム帯域幅に含まれる使用可能なＲＢ数が奇数であるか偶数であるかを指示するための１ビット指示情報、前記狭帯域伝送の位置する周波数領域リソースがＬＴＥシステム帯域幅で中心周波数を基準に区分された高周波帯か低周波帯かに位置することを指示するための１ビット指示情報、および、ＬＴＥシステム帯域幅の中心周波数または中心ＲＢに対する前記狭帯域伝送の位置する周波数領域位置のＲＢ偏移量（当該偏移量が整数個のＲＢである。）を指示するためのＤビット指示情報を含む。
【００２１】
その１つの実行可能な実施例において、前記Ｄは、
【数８】
2019507531.tif 000010
または６である。
【００２２】
その１つの実行可能な実施例において、前記ＣＲＳ周波数領域位置指示情報は、ＬＴＥシステムのＣＲＳシーケンスで、前記狭帯域伝送の位置する周波数領域リソースに対応するＣＲＳの相対的位置を指示するためのものである。
【００２３】
その１つの実行可能な実施例において、前記ＣＲＳ周波数領域位置指示情報は、前記狭帯域伝送の位置する周波数領域リソースがＬＴＥシステム帯域幅で中心周波数を基準に区分された高周波帯であるか低周波帯であるかを指示するための１ビット指示情報、および、中心周波数のＣＲＳに対する前記狭帯域伝送に占用される周波数領域リソースに対応するＣＲＳの偏移量を指示するためのＥビット指示情報を含む。
【００２４】
その１つの実行可能な実施例において、前記Ｅは、
【数９】
2019507531.tif 000011
または７である。
【００２５】
その１つの実行可能な実施例において、前記狭帯域ＰＢＣＨには、当該狭帯域にＬＴＥ制御領域が含まれるかを指示するための指示情報、ＬＴＥ制御領域のサイズを指示するための指示情報のうちの１つまたは組み合わせをさらに携帯する。
【００２６】
本開示の第２方面として、ＣＲＳ伝送指示情報を携帯しているＮＢ−ＰＢＣＨを端末側機器によって受信することを含むＰＢＣＨ伝送方法を提供する。
【００２７】
その１つの実行可能な実施例において、前記ＣＲＳ伝送指示情報は、ＬＴＥシステムにおけるＣＲＳポート数指示情報、ＬＴＥシステムにおけるＣＲＳ周波数領域位置指示情報のうちの１つまたは任意の組み合わせを含む。
【００２８】
その１つの実行可能な実施例において、前記ＣＲＳポート数指示情報は、具体的に、１ポートまたは２ポートＣＲＳ伝送のうちの１つを指示するための１ビットＣＲＳポート数指示情報、または、１ポート、２ポートまたは４ポートＣＲＳ伝送のうちの１つを指示するための２ビットＣＲＳポート数指示情報を含む。
【００２９】
その１つの実行可能な実施例において、前記ＣＲＳ周波数領域位置指示情報は、ＬＴＥシステム帯域幅および当該ＬＴＥシステム帯域幅における前記狭帯域伝送のＲＢ位置を指示するためのものである。
【００３０】
その１つの実行可能な実施例において、前記ＣＲＳ周波数領域位置指示情報は、ＬＴＥシステム帯域幅を指示するためのＮビット指示情報および前記ＬＴＥシステム帯域幅における前記狭帯域伝送のＲＢ番号または位置を指示するためのＢビット指示情報を含み、または、ＬＴＥシステム帯域幅と当該ＬＴＥシステム帯域幅における前記狭帯域伝送のＲＢ番号または位置との結合情報を指示するためのＫビット指示情報を含む。
【００３１】
その１つの実行可能な実施例において、前記Ｎは、
【数１０】
2019507531.tif 000012
または３であり、
および／または、
前記Ｂは、
【数１１】
2019507531.tif 000013
または
【数１２】
2019507531.tif 000014
または
【数１３】
2019507531.tif 000015
または７である。
【００３２】
その１つの実行可能な実施例において、前記Ｋは、
【数１４】
2019507531.tif 000016
または９または８である。
【００３３】
その１つの実行可能な実施例において、前記ＣＲＳ周波数領域位置指示情報は、ＬＴＥシステムにおける特定周波数領域位置に対する前記狭帯域伝送の位置する周波数領域位置の偏移量を指示するためのものである。
【００３４】
その１つの実行可能な実施例において、前記ＣＲＳ周波数領域位置指示情報は、前記狭帯域伝送の位置する周波数領域リソースがＬＴＥシステム帯域幅で中心周波数を基準に区分された高周波帯か低周波帯かに位置することを指示するための１ビット指示情報、および、中心周波数に対する前記狭帯域伝送の位置する周波数領域位置の偏移量を指示するためのＣビット指示情報を含む。
【００３５】
その１つの実行可能な実施例において、前記偏移量は、サブキャリア偏移量であり、または、二分の一のＲＢまたは６個のサブキャリアを単位に算出された偏移量である。
【００３６】
その１つの実行可能な実施例において、前記偏移量がサブキャリア偏移量である場合、前記Ｃは、
【数１５】
2019507531.tif 000017
または１０であり、
または、前記偏移量が二分の一のＲＢまたは６個のサブキャリアを単位に算出された偏移量である場合、前記Ｃは、
【数１６】
2019507531.tif 000018
または７である。
【００３７】
その１つの実行可能な実施例において、前記ＣＲＳ周波数領域位置指示情報は、ＬＴＥシステム帯域幅に含まれる使用可能なＲＢ数が奇数であるか偶数であるかを指示するための１ビット指示情報、前記狭帯域伝送の位置する周波数領域リソースがＬＴＥシステム帯域幅で中心周波数を基準に区分された高周波帯か低周波帯かに位置することを指示するための１ビット指示情報、および、ＬＴＥシステム帯域幅の中心周波数または中心ＲＢに対する前記狭帯域伝送の位置する周波数領域位置のＲＢ偏移量（当該偏移量が整数個のＲＢである。）を指示するためのＤビット指示情報を含む。
【００３８】
その１つの実行可能な実施例において、前記Ｄは、
【数１７】
2019507531.tif 000019
または６である。
【００３９】
その１つの実行可能な実施例において、前記ＣＲＳ周波数領域位置指示情報は、ＬＴＥシステムのＣＲＳシーケンスで、前記狭帯域伝送の位置する周波数領域リソースに対応するＣＲＳの相対的位置を指示するためのものである。
【００４０】
その１つの実行可能な実施例において、前記ＣＲＳ周波数領域位置指示情報は、前記狭帯域伝送の位置する周波数領域リソースがＬＴＥシステム帯域幅で中心周波数を基準に区分された高周波帯であるか低周波帯であるかを指示するための１ビット指示情報、および、中心周波数のＣＲＳに対する前記狭帯域伝送に占用される周波数領域リソースに対応するＣＲＳの偏移量を指示するためのＥビット指示情報を含む。
【００４１】
その１つの実行可能な実施例において、前記Ｅは、
【数１８】
2019507531.tif 000020
または７である。
【００４２】
その１つの実行可能な実施例において、前記狭帯域ＰＢＣＨには、当該狭帯域にＬＴＥ制御領域が含まれるかを指示するための指示情報、ＬＴＥ制御領域のサイズを指示するための指示情報のうちの１つまたは組み合わせをさらに携帯する。
【００４３】
その１つの実行可能な実施例において、当該方法は、前記ＣＲＳ伝送指示情報に基づいてＣＲＳを受信することをさらに含む。
【００４４】
本開示の第３方面として、ＣＲＳ伝送指示情報を狭帯域ＰＢＣＨに携帯させるための処理モジュールと、前記狭帯域ＰＢＣＨを伝送するための伝送モジュールを含む狭帯域ＰＢＣＨ伝送装置を提供する。
【００４５】
その１つの実行可能な実施例において、前記ＣＲＳ伝送指示情報は、ＬＴＥシステムにおけるＣＲＳポート数指示情報、ＬＴＥシステムにおけるＣＲＳ周波数領域位置指示情報のうちの１つまたは任意の組み合わせを含む。
【００４６】
その１つの実行可能な実施例において、前記ＣＲＳポート数指示情報は、具体的に、１ポートまたは２ポートＣＲＳ伝送のうちの１つを指示するための１ビットＣＲＳポート数指示情報、または、１ポート、２ポートまたは４ポートＣＲＳ伝送のうちの１つを指示するための２ビットＣＲＳポート数指示情報を含む。
【００４７】
その１つの実行可能な実施例において、前記ＣＲＳ周波数領域位置指示情報は、ＬＴＥシステム帯域幅および当該ＬＴＥシステム帯域幅における前記狭帯域伝送のＲＢ（Ｒｅｓｏｕｒｃｅ  Ｂｌｏｃｋ）位置を指示するためのものである。
【００４８】
その１つの実行可能な実施例において、前記ＣＲＳ周波数領域位置指示情報は、ＬＴＥシステム帯域幅を指示するためのＮビット指示情報および前記ＬＴＥシステム帯域幅における前記狭帯域伝送のＲＢ番号または位置を指示するためのＢビット指示情報を含み、または、ＬＴＥシステム帯域幅と当該ＬＴＥシステム帯域幅における前記狭帯域伝送のＲＢ番号または位置との結合情報を指示するためのＫビット指示情報を含む。
【００４９】
その１つの実行可能な実施例において、前記Ｎは、
【数１９】
2019507531.tif 000021
または３であり、
および／または、
前記Ｂは、
【数２０】
2019507531.tif 000022
または
【数２１】
2019507531.tif 000023
または
【数２２】
2019507531.tif 000024
または７である。
【００５０】
その１つの実行可能な実施例において、前記Ｋは、
【数２３】
2019507531.tif 000025
または９または８である。
【００５１】
その１つの実行可能な実施例において、前記ＣＲＳ周波数領域位置指示情報は、ＬＴＥシステムにおける特定周波数領域位置に対する前記狭帯域伝送の位置する周波数領域位置の偏移量を指示するためのものである。
【００５２】
その１つの実行可能な実施例において、前記ＣＲＳ周波数領域位置指示情報は、前記狭帯域伝送の位置する周波数領域リソースがＬＴＥシステム帯域幅で中心周波数を基準に区分された高周波帯か低周波帯かに位置することを指示するための１ビット指示情報、および、中心周波数に対する前記狭帯域伝送の位置する周波数領域位置の偏移量を指示するためのＣビット指示情報を含む。
【００５３】
その１つの実行可能な実施例において、前記偏移量は、サブキャリア偏移量であり、または、二分の一のＲＢまたは６個のサブキャリアを単位に算出された偏移量である。
【００５４】
その１つの実行可能な実施例において、前記偏移量がサブキャリア偏移量である場合、前記Ｃは、
【数２４】
2019507531.tif 000026
または１０であり、
または、前記偏移量が二分の一のＲＢまたは６個のサブキャリアを単位に算出された偏移量である場合、前記Ｃは、
【数２５】
2019507531.tif 000027
または７である。
【００５５】
その１つの実行可能な実施例において、前記ＣＲＳ周波数領域位置指示情報は、ＬＴＥシステム帯域幅に含まれる使用可能なＲＢ数が奇数であるか偶数であるかを指示するための１ビット指示情報、前記狭帯域伝送の位置する周波数領域リソースがＬＴＥシステム帯域幅で中心周波数を基準に区分された高周波帯か低周波帯かに位置することを指示するための１ビット指示情報、および、ＬＴＥシステム帯域幅の中心周波数または中心ＲＢに対する前記狭帯域伝送の位置する周波数領域位置のＲＢ偏移量（当該偏移量が整数個のＲＢである。）を指示するためのＤビット指示情報を含む。
【００５６】
その１つの実行可能な実施例において、前記Ｄは、
【数２６】
2019507531.tif 000028
または６である。
【００５７】
その１つの実行可能な実施例において、前記ＣＲＳ周波数領域位置指示情報は、ＬＴＥシステムのＣＲＳシーケンスで、前記狭帯域伝送の位置する周波数領域リソースに対応するＣＲＳの相対的位置を指示するためのものである。
【００５８】
その１つの実行可能な実施例において、前記ＣＲＳ周波数領域位置指示情報は、前記狭帯域伝送の位置する周波数領域リソースがＬＴＥシステム帯域幅で中心周波数を基準に区分された高周波帯であるか低周波帯であるかを指示するための１ビット指示情報、および、中心周波数のＣＲＳに対する前記狭帯域伝送に占用される周波数領域リソースに対応するＣＲＳの偏移量を指示するためのＥビット指示情報を含む。
【００５９】
その１つの実行可能な実施例において、前記Ｅは、
【数２７】
2019507531.tif 000029
または７である。
【００６０】
その１つの実行可能な実施例において、前記狭帯域ＰＢＣＨには、当該狭帯域にＬＴＥ制御領域が含まれるかを指示するための指示情報、ＬＴＥ制御領域のサイズを指示するための指示情報のうちの１つまたは組み合わせをさらに携帯する。
【００６１】
本開示の第４方面として、少なくともＣＲＳ伝送指示情報を携帯している狭帯域ＰＢＣＨを受信するための受信モジュールを含む狭帯域ＰＢＣＨ伝送装置を提供する。
【００６２】
その１つの実行可能な実施例において、前記ＣＲＳ伝送指示情報は、ＬＴＥシステムにおけるＣＲＳポート数指示情報、ＬＴＥシステムにおけるＣＲＳ周波数領域位置指示情報のうちの１つまたは任意の組み合わせを含む。
【００６３】
その１つの実行可能な実施例において、前記ＣＲＳポート数指示情報は、具体的に、１ポートまたは２ポートＣＲＳ伝送のうちの１つを指示するための１ビットＣＲＳポート数指示情報、または、１ポート、２ポートまたは４ポートＣＲＳ伝送のうちの１つを指示するための２ビットＣＲＳポート数指示情報を含む。
【００６４】
その１つの実行可能な実施例において、前記ＣＲＳ周波数領域位置指示情報は、ＬＴＥシステム帯域幅および当該ＬＴＥシステム帯域幅における前記狭帯域伝送のＲＢ（Ｒｅｓｏｕｒｃｅ  Ｂｌｏｃｋ）位置を指示するためのものである。
【００６５】
その１つの実行可能な実施例において、前記ＣＲＳ周波数領域位置指示情報は、ＬＴＥシステム帯域幅を指示するためのＮビット指示情報および前記ＬＴＥシステム帯域幅における前記狭帯域伝送のＲＢ番号または位置を指示するためのＢビット指示情報を含み、または、ＬＴＥシステム帯域幅と当該ＬＴＥシステム帯域幅における前記狭帯域伝送のＲＢ番号または位置との結合情報を指示するためのＫビット指示情報を含む。
【００６６】
その１つの実行可能な実施例において、前記Ｎは、
【数２８】
2019507531.tif 000030
または３であり、
および／または、
前記Ｂは、
【数２９】
2019507531.tif 000031
または
【数３０】
2019507531.tif 000032
または
【数３１】
2019507531.tif 000033
）または７である。
【００６７】
その１つの実行可能な実施例において、前記Ｋは、
【数３２】
2019507531.tif 000034
または９または８である。
【００６８】
その１つの実行可能な実施例において、前記ＣＲＳ周波数領域位置指示情報は、ＬＴＥシステムにおける特定周波数領域位置に対する前記狭帯域伝送の位置する周波数領域位置の偏移量を指示するためのものである。
【００６９】
その１つの実行可能な実施例において、前記ＣＲＳ周波数領域位置指示情報は、前記狭帯域伝送の位置する周波数領域リソースがＬＴＥシステム帯域幅で中心周波数を基準に区分された高周波帯か低周波帯かに位置することを指示するための１ビット指示情報、および、中心周波数に対する前記狭帯域伝送の位置する周波数領域位置の偏移量を指示するためのＣビット指示情報を含む。
【００７０】
その１つの実行可能な実施例において、前記偏移量は、サブキャリア偏移量であり、または、二分の一のＲＢまたは６個のサブキャリアを単位に算出された偏移量である。
【００７１】
その１つの実行可能な実施例において、前記偏移量がサブキャリア偏移量である場合、前記Ｃは、
【数３３】
2019507531.tif 000035
または１０であり、
または、前記偏移量が二分の一のＲＢまたは６個のサブキャリアを単位に算出された偏移量である場合、前記Ｃは、
【数３４】
2019507531.tif 000036
または７である。
【００７２】
その１つの実行可能な実施例において、前記ＣＲＳ周波数領域位置指示情報は、ＬＴＥシステム帯域幅に含まれる使用可能なＲＢ数が奇数であるか偶数であるかを指示するための１ビット指示情報、前記狭帯域伝送の位置する周波数領域リソースがＬＴＥシステム帯域幅で中心周波数を基準に区分された高周波帯か低周波帯かに位置することを指示するための１ビット指示情報、および、ＬＴＥシステム帯域幅の中心周波数または中心ＲＢに対する前記狭帯域伝送の位置する周波数領域位置のＲＢ偏移量（当該偏移量が整数個のＲＢである。）を指示するためのＤビット指示情報を含む。
【００７３】
その１つの実行可能な実施例において、  前記Ｄは、
【数３５】
2019507531.tif 000037
または６である。
【００７４】
その１つの実行可能な実施例において、前記ＣＲＳ周波数領域位置指示情報は、ＬＴＥシステムのＣＲＳシーケンスで、前記狭帯域伝送の位置する周波数領域リソースに対応するＣＲＳの相対的位置を指示するためのものである。
【００７５】
その１つの実行可能な実施例において、前記ＣＲＳ周波数領域位置指示情報は、前記狭帯域伝送の位置する周波数領域リソースがＬＴＥシステム帯域幅で中心周波数を基準に区分された高周波帯であるか低周波帯であるかを指示するための１ビット指示情報、および、中心周波数のＣＲＳに対する前記狭帯域伝送に占用される周波数領域リソースに対応するＣＲＳの偏移量を指示するためのＥビット指示情報を含む。
【００７６】
その１つの実行可能な実施例において、前記Ｅは、
【数３６】
2019507531.tif 000038
または７である。
【００７７】
その１つの実行可能な実施例において、前記狭帯域ＰＢＣＨには、当該狭帯域にＬＴＥ制御領域が含まれるかを指示するための指示情報、ＬＴＥ制御領域のサイズを指示するための指示情報のうちの１つまたは組み合わせをさらに携帯する。
【００７８】
本開示の第５方面として、バスを介して互いに接続されているプロセッサ、メモリ、トランシーバおよびバスインタフェースを含むネットワーク側機器を提供する。前記プロセッサは、メモリの中のプログラムを読み取って、少なくともＣＲＳ伝送指示情報を携帯している狭帯域ＰＢＣＨを伝送するプロセスを前記ネットワーク側機器に実行させる。
【００７９】
本開示の第６方面として、バスを介して互いに接続されているプロセッサ、メモリ、トランシーバおよびバスインタフェースを含む端末側機器を提供する。前記プロセッサは、メモリの中のプログラムを読み取って、ＣＲＳ伝送指示情報を携帯している狭帯域ＰＢＣＨを受信するプロセスを前記端末側機器に実行させる。
【発明の効果】
【００８０】
本開示の具体的な実施例における上記技術案のうちの少なくとも１つは、以下の有益な効果を奏する。本開示の上記各実施例において、狭帯域ＰＢＣＨに携帯される、ＬＴＥシステムにおけるＣＲＳのポート数および周波数領域位置のうちの１つまたは複数の組み合わせを指示するためのＣＲＳ伝送指示情報によって、ＬＴＥ端末と同時にＬＴＥ帯域幅内で動作する狭帯域端末は、ＬＴＥシステムにおけるＣＲＳを取得することができ、さらに狭帯域の下りリンク伝送においてＬＴＥシステムのＣＲＳを使用して復調を行うことができ、当該ＣＲＳに基づいた信号受信を実現する。
【００８１】
本開示の実施例や従来技術の技術手段をより明確に説明するために、以下、実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【図面の簡単な説明】
【００８２】
【図１】本開示の実施例によるＬＴＥシステム帯域幅に含まれるＲＢ数が奇数である場合にＲＢとＣＲＳシーケンスとのマッピング関係図である。
【図２】本開示の実施例によるＬＴＥシステム帯域幅に含まれるＲＢ数が偶数である場合にＲＢとＣＲＳシーケンスとのマッピング関係図である。
【図３】本開示の一実施例による狭帯域ＰＢＣＨ伝送のフローチャートである。
【図４】本開示の一実施例による狭帯域ＰＢＣＨ伝送装置の構造図である。
【図５】本開示の別の実施例による狭帯域ＰＢＣＨ伝送装置の構造図である。
【図６】本開示の別の実施例によるネットワーク側機器の構造図である。
【図７】本開示の別の実施例による端末側機器の構造図である。
【発明を実施するための形態】
【００８３】
以下、図面と実施例を参照しながら、本開示の具体的な実施形態を更に記載する。以下の実施例は、本開示の説明に用いられ、本開示の範囲を限定するためのものではない。
【００８４】
本開示の実施例の目的、技術手段及び利点をより明確にするために、以下、本開示の実施例の図面を参照しながら、本開示の実施例の技術手段を明確且つ完全に記載する。明らかに、記載する実施例は、本開示の実施例の一部であり、全てではない。記載する本開示の実施例に基づき、当業者が為しえる全ての実施例は、いずれも本開示の保護範囲に属するものである。
【００８５】
別途に定義することを除き、ここで使用される技術用語や科学用語は、本開示の所属する分野の一般技能を持つ者が理解する通常の意味である。本開示の明細書及び特許請求の範囲に使用される「第１」、「第２」及び類似用語は、単に異なる構成部分を区別するためのものであり、順番、数量又は重要度をいっさい表さない。同様に、「１つ」又は「一」などその他の類似用語は、少なくとも１つ存在することを表し、数の限定ではない。「接続」や「連結」などその他の類似用語は、物理や機械的接続に限定するのではなく、直接か間接かを関係なしに電気的接続も含む。「上」、「下」、「左」、「右」などは、相対的位置関係を表すものであり、記載対象の絶対位置が変わると、当該相対的位置関係も対応的に変わる。
【００８６】
以下、明細書の図面を参照しながら、本開示の実施例をさらに詳細に記載する。なお、ここで記載する実施例は、本開示の説明と解釈のみに用いられるものであって、本開示を限定するために用いられない。
【００８７】
ＮＢ−ＩＯＴシステムにおけるＮＢ−ＰＢＣＨ（狭帯域ＰＢＣＨ）は、周期的に伝送し、理論上システム帯域幅内のいずれか１つのＰＲＢで伝送することができる。しかし、ＮＢ−ＩＯＴ端末は、ＰＢＣＨ伝送のあるＰＲＢがＬＴＥシステム帯域内のどのＰＲＢであるか分からないため、ＬＴＥシステムにおけるＣＲＳを使用してデータの復調を行うことができない。
【００８８】
上記問題を解決するために、１つの考えられる解決手段として、ＮＢ−ＰＢＣＨ復調用の新規の狭帯域ＲＳ（ＮＢ−ＲＳ）を定義し、後続の狭帯域の下りリンクデータ伝送（例えば、狭帯域の下りリンク制御チャンネル（ＮＢ−ＰＤＣＣＨ）の伝送や、狭帯域の下りリンクシェアドチャンネル（ＮＢ−ＰＤＳＣＨ）の伝送など）は、いずれもＮＢ−ＲＳに基づいてデータ復調が行われる。ＬＴＥシステムにおけるＣＲＳが常に各下りリンクサブフレームに存在する場合、新規のＮＢ−ＲＳを定義することは、システムＲＳオーバーヘッドを増加させる。
【００８９】
本開示の実施例は、ＰＢＣＨ受信後のほかの下りリンクデータ伝送のシステムＲＳオーバーヘッドを増加させない狭帯域ＰＢＣＨ伝送方法を提案し、ＬＴＥ  ＣＲＳ伝送を確定することのできる指示情報を狭帯域ＰＢＣＨに携帯させることによって、ＬＴＥ端末と同時にＬＴＥ帯域幅で動作する狭帯域端末によるＬＴＥシステムのＣＲＳの取得を保証し、信号受信に用いる。
【００９０】
本開示の実施例の記載に先立って、まずＬＴＥシステムのＣＲＳを簡単に説明する。
【００９１】
ＬＴＥシステムにおいて、同期信号とＰＢＣＨとがいずれもＬＴＥシステム帯域幅の中間７２個のサブキャリアで伝送され、ＰＢＣＨの復調がＣＲＳに基づいて行われる。ＣＲＳシーケンスは、セルＩＤに関連付けられ、かつシーケンスの長さが常にＬＴＥの所定最大下りリンクＲＢ（Ｒｅｓｏｕｒｃｅ  Ｂｌｏｃｋ）数を基準とする。現在、１１０個のＲＢに基づくが、ＣＲＳポート毎に、１つのＣＲＳマッピングＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルにおいて、各ＲＢに２個のＣＲＳが含まれている。したがって、１つのポートにおける１つのＯＦＤＭシンボルのシステムＣＲＳシーケンスの長さは、２２０である。
【００９２】
図１には、ＬＴＥシステム帯域幅に含まれるＲＢ数が奇数である場合にＲＢとＣＲＳシーケンスとのマッピング関係が示されている。図２には、ＬＴＥシステム帯域幅に含まれるＲＢ数が偶数である場合にＲＢとＣＲＳシーケンスとのマッピング関係が示されている。図１と図２において、格子内の数字は、ＣＲＳシーケンスのインデックス号（または番号）を示し、ＲＢ＃は、ＲＢインデックス号を示す。
【数３７】
2019507531.tif 000039
は、一種のＬＴＥシステム帯域幅に含まれる使用可能なＲＢ個数（使用可能なＲＢ個数は、当該システム帯域幅からリザーブとなるプロテクション帯域幅を除いてから１８０ＫＨｚ毎に１つのＲＢとして区分したＲＢ個数である。）を示す。１つのＣＲＳアンテナポートにおいて、ＣＲＳを含む１つのＯＦＤＭシンボルで各ＲＢに２個のＣＲＳが含まれる。図１において、中心周波数は、インデックス号が
【数３８】
2019507531.tif 000040
であるＲＢの中間位置に位置する。図２において、中心周波数は、インデックス号が
【数３９】
2019507531.tif 000041
と
【数４０】
2019507531.tif 000042
であるＲＢの中間位置に位置する。
【００９３】
以下、図面を参照しながら本開示の実施例を詳細に記載する。
【００９４】
実施例１
本開示の実施例は、ＬＴＥシステムおよびその進化システムに適用し、特にＬＴＥ端末と同時にＬＴＥ帯域幅内で動作する狭帯域端末に対し狭帯域ＰＢＣＨ伝送を行うプロセスに適用する。
【００９５】
本開示の実施例において、ＬＴＥシステムは、３ＧＰＰ（３ｒｄ  Ｇｅｎｅｒａｔｉｏｎ  Ｐａｒｔｎｅｒｓｈｉｐ  Ｐｒｏｊｅｃｔ）リリース８（Ｒｅｌ−８またはＲ８）、リリース９（Ｒｅｌ−９またはＲ９）、リリース１０（Ｒｅｌ−１０またはＲ１０）およびリリース１０以上のリリースに対応すると見なされてもよい。もちろん、当業者は、本開示が以上列挙したＬＴＥのこれらのリリースに限定されないと理解できる。本開示の保護範囲を逸脱しない前提で、適切な改良を行って、本開示の各実施例は、ＬＴＥおよびその進化システムのほかのリリースおよび後続リリースに応用することもできる。ＬＴＥネットワーク構造は、マクロセル、マイクロセル、ピコセル、フェムトセル、中継器と中継ノードからなるネットワークおよび各種類のハイブリッドネットワーク構造（マクロセル、マイクロセル、ピコセル、フェムトセル、中継器と中継ノードのうちの一種か複数種類からなる）などであってもよいが、もちろん本開示は、これらについて限定しない。
【００９６】
本開示の実施例における基地局は、ＬＴＥシステムまたはその進化システムにおけるＥｖｏｌｕｔｉｏｎａｌ  Ｎｏｄｅ  Ｂ（ｅＮＢまたはｅ−ＮｏｄｅＢ）、マクロ基地局、マイクロ基地局（「スモール基地局」とも言う）、ピコ基地局、ＡＰ（Ａｃｃｅｓｓ  Ｐｏｉｎｔ）またはＴＰ（Ｔｒａｎｓｍｉｓｓｉｏｎ  Ｐｏｉｎｔ）などであってもよい。
【００９７】
本開示の実施例における端末は、ＵＥ（Ｕｓｅｒ  Ｅｑｕｉｐｍｅｎｔ）と呼ばれてもよく、または、Ｔｅｒｍｉｎａｌ、ＭＳ（Ｍｏｂｉｌｅ  Ｓｔａｔｉｏｎ）、移動端末（Ｍｏｂｉｌｅ  Ｔｅｒｍｉｎａｌ）などと呼ばれてもよい。当該端末は、ＲＡＮ（Ｒａｄｉｏ  Ａｃｃｅｓｓ  Ｎｅｔｗｏｒｋ）を介して１つまたは複数のコアネットワークと通信することができる。特に、本開示の実施例における端末は、ＬＴＥまたはその進化システムで動作できる狭帯域端末、例えばＭＴＣ（Ｍａｃｈｉｎｅ−Ｔｙｐｅ  Ｃｏｍｍｕｎｉｃａｔｉｏｎ）端末を指す。
【００９８】
図３に示されているように、本開示の実施例による狭帯域ＰＢＣＨ伝送方法のフローは、下記ステップを含んでもよい。
【００９９】
ステップ３０１において、少なくともＣＲＳ伝送指示情報を携帯している狭帯域ＰＢＣＨを伝送する。
【０１００】
ここで、狭帯域ＰＢＣＨは、システムブロードキャスト情報を伝送するためのものであり、特定のサブフレーム内の特定シンボルで伝送される。
【０１０１】
ステップ３０２において、狭帯域ＰＢＣＨで伝送される信号を受信し、狭帯域ＰＢＣＨに携帯しているＣＲＳ伝送指示情報に基づいてＣＲＳを受信して信号の復調を行う。
【０１０２】
上記フローにおいてステップ３０１は、狭帯域ＰＢＣＨ送信側によって実行され、ステップ３０２は、狭帯域ＰＢＣＨ受信側によって実行される。１つの具体的な応用シーンにおいて、基地局が上記ステップ３０１を実行し、端末が上記ステップ３０２を実行する。
【０１０３】
上記フローにおいて、狭帯域ＰＢＣＨに携帯しているＣＲＳ伝送指示情報は、ＬＴＥシステムにおけるＣＲＳのポート数および周波数領域位置のうちの１つまたは複数の組み合わせを指示するためのものである。具体的に、前記ＣＲＳ伝送指示情報は、ＬＴＥシステムにおけるＣＲＳポート数の指示情報、ＬＴＥシステムにおけるＣＲＳ周波数領域位置の指示情報のうちの１つまたは任意の組み合わせを含む。
【０１０４】
前記ＣＲＳポート数指示情報は、具体的に、１ポートまたは２ポートＣＲＳ伝送のうちの１つを指示するための１ビットＣＲＳポート数指示情報、または、１ポート、２ポートまたは４ポートＣＲＳ伝送のうちの１つを指示するための２ビットＣＲＳポート数指示情報を含む。
【０１０５】
前記ＣＲＳポート数指示情報は、１ポート、２ポートまたは４ポートＣＲＳ伝送のうちの１つを指示するためのものである。具体的に実施される場合、伝送リソースのオーバーヘッドを減少させるために、最多２ポートＣＲＳ伝送の場合、１ビットの指示情報によって、１ポートＣＲＳ伝送を採用するか２ポートＣＲＳ伝送を採用するかを指示するが、最多４ポートＣＲＳ伝送の場合、２ビットの指示情報によって、１ポート、２ポートまたは４ポートＣＲＳ伝送のうちの１つを採用することを指示する。
【０１０６】
端末は、狭帯域ＰＢＣＨの受信後に、狭帯域ＰＢＣＨに携帯しているＣＲＳポート数の指示情報に基づいて、ＬＴＥシステムにおけるＣＲＳポート数を取得し、後続の下りリンクデータ復調プロセスで、確定したＣＲＳポートとポート数に基づいて、特定のＣＲＳポートでＣＲＳを取得することができる。
【０１０７】
また、端末は、当該周波数領域位置の指示情報に基づいて、狭帯域伝送に対応するＣＲＳがＬＴＥシステムのＣＲＳシーケンスのうちのどの部分であるかを確定することができる。
【０１０８】
さらに、狭帯域ＰＢＣＨには、ＬＴＥ制御領域が含まれるかを指示するための指示情報、ＬＴＥ制御領域のサイズを指示するための指示情報のうちの１つまたは任意の組み合わせをさらに携帯してもよい。当該狭帯域伝送の時に伝統的な制御領域が含まれるか、すなわち前からＰ個のＯＦＤＭシンボルが狭帯域の下りリンク制御チャンネルと狭帯域の下りリンクシェアドチャンネルの伝送に使用可能であるかを、１ビット指示情報によって指示することが好ましい。ＬＴＥ制御領域のサイズを指示するための指示情報として、例えば、ＬＴＥ制御領域に占用されるＯＦＤＭシンボル数Ｐを指示する。
【０１０９】
「ＣＲＳ周波数領域位置の指示情報」によって、狭帯域伝送に対応するＣＲＳがＬＴＥシステムのＣＲＳシーケンスのうちのどの部分であるかを指示する方法は、多種類ある。本開示の実施例は、数種類の好ましい実現方式を提案するが、具体的に以下の方法１、方法２、方法３を参照されたい。
【０１１０】
方法１
ＣＲＳの周波数領域位置指示情報によって、ＬＴＥシステム帯域幅および当該ＬＴＥシステム帯域幅における当該狭帯域伝送のＲＢ位置を指示する。
【０１１１】
より具体的に、以下の方法１−１または１−２を用いて実現することができる。
【０１１２】
方法１−１
ＣＲＳの周波数領域位置指示情報は、ＬＴＥシステム帯域幅を指示するためのＮ（正整数）ビット指示情報および当該ＬＴＥシステム帯域幅における当該狭帯域伝送のＲＢ位置を指示するためのＢ（正整数）ビット指示情報を含む。ここで、「Ｎビット指示情報」は、全種類のＬＴＥシステム帯域幅における当該ＬＴＥシステム帯域幅のインデックス号（または番号）である。「Ｂビット指示情報」は、狭帯域伝送に占用されるＲＢに対応する当該ＬＴＥシステム帯域幅におけるＲＢのインデックス号（または番号）である。
【０１１３】
伝送リソースのオーバーヘッドを減少させるには、ＣＲＳの周波数領域位置指示情報において、
【数４１】
2019507531.tif 000043
ビットによって、Ａ種類の異なるＬＴＥシステム帯域幅のうちの１つのシステム帯域幅（ここで、Ａは、１より大きい整数であり、
【数４２】
2019507531.tif 000044
は、切り捨て演算を示す。）を指示する。Ａは、従来存在するＬＴＥシステム帯域幅の種類数または前記狭帯域伝送をサポートすることのできるＬＴＥシステム帯域幅の種類数を示す。従来のＬＴＥシステム帯域幅の種類数または狭帯域伝送をサポートすることのできるＬＴＥシステム帯域幅の種類数を考え、例えばＮの値は、３を取ることができる。
【０１１４】
伝送リソースのオーバーヘッドを減少させるには、ＣＲＳの周波数領域位置指示情報において、Ｂビットによって、狭帯域伝送に占用されるＲＢに対応する当該ＬＴＥシステム帯域幅におけるＲＢのインデックス号を指示することができる。
【数４３】
2019507531.tif 000045
が好ましい。別の実施例において、
【数４４】
2019507531.tif 000046
であり、
【数４５】
2019507531.tif 000047
は、Ａ種類のＬＴＥシステム帯域幅のうち各種類のシステム帯域幅に含まれる使用可能なＲＢ個数である。別の実施例において、
【数４６】
2019507531.tif 000048
であり、
【数４７】
2019507531.tif 000049
は、ＬＴＥシステムにおける狭帯域伝送に使用可能なＲＢ個数である。当該狭帯域伝送に使用可能なＲＢ個数は、予め定義されている個数であるか、予め定義されているルールに基づいて確定された個数である。例えば、ＬＴＥシステム帯域幅毎に、Ｚ個のＲＢが狭帯域伝送に使用可能であると予め定義し、システム帯域幅毎にＺが同一であってもよく異なってもよい。また例えば、ＬＴＥシステム帯域幅毎に、システム帯域幅の特定位置のＲＢを予め定義し、例えば、特定の周波数領域位置からｘ／ｙ個のＲＢおきに１つの狭帯域伝送に使用可能なＲＢがあり、システム帯域幅毎に、ｘ／ｙが同一であってもよく異なってもよい。別の実施例において、例えばＢ＝７である。
【０１１５】
表１に示されているＬＴＥシステムでサポートされる異なるシステム帯域幅および各帯域幅に含まれる使用可能なＲＢ数（プロテクション帯域幅部分を除くＲＢ）を例とする。表２に示されているように、３個のビットによって６種類のＬＴＥシステム帯域幅を指示することができる。また、表３に示されているように、２０ＭＨｚ帯域幅に１００個のＲＢが含まれ、１つのシステム帯域幅におけるＲＢインデックス号を指示するには７個のビットが必要である。
【０１１６】
【表１】
2019507531.tif 000050
【０１１７】
【表２】
2019507531.tif 000051
【０１１８】
【表３】
2019507531.tif 000052
【０１１９】
もちろん、後続でより多くのシステム帯域幅を定義し、システム帯域幅の最大ＲＢ数に変化が生じると、類似な方式によってさらに指示することができるが、ここでは繰り返して記載しない。
【０１２０】
狭帯域伝送に使用可能なＲＢ数が
【数４８】
2019507531.tif 000053
または
【数４９】
2019507531.tif 000054
より小さく、または、狭帯域伝送用のＲＢが特定部分のＲＢであれば、「Ｂビット指示情報」に使用されるビットは、さらに少なくてもよい。例えば、狭帯域伝送用のＲＢを４つのみ予め定義すると、２ビットの指示情報のみで、４個の所定ＲＢ位置のうちの１つを指示することができる。
【０１２１】
端末は、狭帯域ＰＢＣＨの受信後に、狭帯域ＰＢＣＨに携帯している「Ｎビット指示情報」に基づいて、ＬＴＥシステム帯域幅および当該システム帯域幅に含まれる使用可能なＲＢ総数
【数５０】
2019507531.tif 000055
を取得し、「Ｂビット指示情報」に基づいて、狭帯域伝送に占用されるＲＢに対応する当該ＬＴＥシステム帯域幅におけるＲＢを取得することができる。ＬＴＥシステム帯域幅に含まれる使用可能なＲＢ総数
【数５１】
2019507531.tif 000056
が奇数であるか偶数であるかに基づいて、端末は、図１かそれとも図２に示すＲＢとＣＲＳとのマッピング関係を採用することを確定し、指示されているＲＢインデックス号に基づいて、該当するＲＢに対応するＣＲＳシーケンスを確定することができる。
【０１２２】
方法１−２
ＣＲＳ伝送指示情報は、ＬＴＥシステム帯域幅と当該ＬＴＥシステム帯域幅における狭帯域伝送のＲＢ番号または位置との結合情報を指示するためのＫビット指示情報を含む。
【０１２３】
伝送リソースのオーバーヘッドを減少させるには、結合情報のビット数は、
【数５２】
2019507531.tif 000057
に設定することができる。Ａは、従来存在するＬＴＥシステム帯域幅の種類数または前記狭帯域伝送をサポートすることのできるＬＴＥシステム帯域幅の種類数を示す。
【数５３】
2019507531.tif 000058
は、第ｉ個のシステム帯域幅に含まれるＲＢ数である。具体的に実施する場合、Ｋの値は、例えば９または８を取ることができる。
【０１２４】
上記表１に示されている６種類のＬＴＥシステム帯域幅およびその使用可能なＲＢ数を例とし、当該結合情報は、表４に示されているように、９ビットである。
【０１２５】
【表４】
2019507531.tif 000059
【０１２６】
さらに狭帯域伝送をサポートする帯域幅から１．４ＭＨｚを除外するのであれば、テーブルから１．４ＭＨｚに対応するステータスを削除することができる。さらに、各システム帯域幅の中間６個のＲＢを狭帯域伝送用から除外するのであれば、すなわちこれらのＲＢに対応する指示フィールドをテーブルから削除すると、組み合わせステータスをさらに減らすことができ、８個のビットの結合符号化情報（Ｊｏｉｎｔ  ｅｎｃｏｄｉｎｇ  ｉｎｆｏｒｍａｔｉｏｎ）のみが必要となる。さらに、狭帯域伝送に使用可能なＲＢが特定部分のＲＢであれば、必要とされる指示ビット数をさらに少なくすることができる。例えば、狭帯域伝送用に４個のＲＢのみを予め定義するのであれば、前記テーブルにおいて、１つの帯域幅のうち当該４個のＲＢを指示する組み合わせ情報のみをリザーブすればよい。組み合わせステータスは、大きく減らされ、結合指示ビット数も少なくなる。例えば３、５、１０、１５、２０との５種類の帯域幅のみをサポートし、かつ各帯域幅のうち４個のＲＢのみが狭帯域伝送に使用可能であると、組み合わせステータスが計５＊４＝２０個あり、５ビット指示情報があればよい。また例えば、帯域幅によっては狭帯域伝送に使用可能なＲＢ個数を異なるように定義してもよく、大きめの帯域幅に対しＲＢ個数を多めに定義し、小さめの帯域幅に対しＲＢ個数を少し少なめに定義する。
【０１２７】
端末は、狭帯域ＰＢＣＨの受信後に、狭帯域ＰＢＣＨに携帯している上記方法１−１または方法１−２における指示情報に基づいて、ＬＴＥシステム帯域幅および当該システム帯域幅に含まれる使用可能なＲＢ総数
【数５４】
2019507531.tif 000060
、および狭帯域伝送に占用されるＲＢに対応する当該ＬＴＥシステム帯域幅におけるＲＢを取得することができる。ＬＴＥシステム帯域幅に含まれる使用可能なＲＢ総数
【数５５】
2019507531.tif 000061
が奇数であるか偶数であるかに基づいて、端末は、図１かそれとも図２に示すＲＢとＣＲＳとのマッピング関係を採用することを確定し、さらに指示されているＲＢインデックス号に基づいて、該当ＲＢに対応するＣＲＳシーケンスを確定することができる。
【０１２８】
例えば、表１、表２、表３から、上記方法１−１を採用するのであれば、狭帯域ＰＢＣＨに携帯しているＣＲＳ伝送指示情報において、「Ｎビット指示情報」によって指示されるＬＴＥシステム帯域幅のインデックス号が２（対応する二進法数が０１０である。）であり、システム帯域幅が５ＭＨｚであることを示し、含まれている使用可能なＲＢ数
【数５６】
2019507531.tif 000062
が２５であり、「Ｂビット指示情報」によって指示される狭帯域伝送に占用されるＲＢに対応する当該５ＭＨｚのシステム帯域幅におけるＲＢのインデックス号が１７である。一方、上記方法１−２を採用するのであれば、「Ｋビット指示情報」によって指示されるＬＴＥシステム帯域幅が５ＭＨｚであり、狭帯域伝送に占用されるＲＢに対応する当該５ＭＨｚのシステム帯域幅におけるＲＢのインデックス号が１７である。システム帯域幅に含まれる使用可能なＲＢ数
【数５７】
2019507531.tif 000063
が２５であり奇数であるため、端末は、図１に基づいて、当該２５個のＲＢのうちインデックス号
【数５８】
2019507531.tif 000064
が１２であるＲＢについて中心周波数に位置しかつ中心周波数を跨いでいると確定する。さらに、狭帯域ＰＢＣＨに指示されているＲＢインデックス号が１７であることに基づいて、インデックス号１７のＲＢに対応するＣＲＳについて、ＣＲＳシーケンスのうちｍ´＝１１９とｍ´＝１２０のＣＲＳであると確定することができる。
【０１２９】
また例えば、表１、表２、表３から、狭帯域ＰＢＣＨに携帯しているＣＲＳ伝送指示情報によって指示されるＬＴＥシステム帯域幅が１０ＭＨｚであり、含まれている使用可能なＲＢ数
【数５９】
2019507531.tif 000065
が５０であり、狭帯域伝送に占用されるＲＢに対応する当該１０ＭＨｚのシステム帯域幅におけるＲＢのインデックス号が１７であると、システム帯域幅に含まれる使用可能なＲＢ数
【数６０】
2019507531.tif 000066
が５０であり偶数であるため、端末は、図２に基づいて、当該５０個のＲＢのうちインデックス号
【数６１】
2019507531.tif 000067
が２５であるＲＢについて中心周波数に位置すると確定する。さらに、狭帯域ＰＢＣＨに指示されているＲＢインデックス号が１７であることに基づいて、インデックス号１７のＲＢに対応するＣＲＳについて、ＣＲＳシーケンスのうちｍ´＝９２とｍ´＝９３のＣＲＳであると確定することができる。
【０１３０】
方法２
ＣＲＳの周波数領域位置指示情報によって、ＬＴＥシステムにおける特定周波数領域位置に対する前記狭帯域伝送の位置する周波数領域位置（すなわち狭帯域ＰＢＣＨ伝送が位置する周波数領域位置）の偏移量を指示する。ここで、前記特定周波数領域位置は、ＬＴＥシステム帯域幅の中心周波数または中心ＲＢであってもよい。
【０１３１】
より具体的に、下記方法２−１または２−２を用いて実現することができる。
【０１３２】
方法２−１
ＣＲＳの周波数領域位置指示情報は、狭帯域伝送の位置する周波数領域位置がＬＴＥシステム帯域幅で中心周波数を基準に区分された高周波帯それとも低周波帯に位置するかの指示情報、および、中心周波数に対する狭帯域伝送の位置する周波数領域位置の偏移量指示情報を含む。
【０１３３】
伝送リソースのオーバーヘッドを減少させるには、ＣＲＳの周波数領域位置指示情報において、１ビット指示情報によって、狭帯域伝送の位置する周波数領域位置がＬＴＥシステム帯域幅で中心周波数を基準に区分された高周波帯それとも低周波帯であるかを指示し、Ｃ（整数）ビット指示情報によって、中心周波数に対する狭帯域伝送の位置する周波数領域位置の偏移量を指示する。ここで、前記偏移量は、具体的に中心周波数に対する狭帯域伝送の位置する周波数領域リソースの最低または最高周波の偏移量として表される。
【０１３４】
当該偏移量は、具体的にサブキャリア偏移量として表される。この場合、
【数６２】
2019507531.tif 000068
個ビットの指示情報によって、現在の狭帯域の位置する周波数領域リソースの、中心周波数に対するサブキャリア偏移数Ｋを指示する。例えば、Ｋ＝１，…
【数６３】
2019507531.tif 000069
。ここで、
【数６４】
2019507531.tif 000070
は、ＬＴＥシステムにおけるＡ種類の異なるシステム帯域幅のうち一種のシステム帯域幅に含まれる使用可能なＲＢ個数を示し、
【数６５】
2019507531.tif 000071
は、ＬＴＥシステムで１つのＲＢに含まれるサブキャリア数を示す。一部の実施例において、Ｃの値は、１０を取る。例えば、最大ＬＴＥシステム帯域幅２０ＭＨｚ、
【数６６】
2019507531.tif 000072
を例とした場合、
【数６７】
2019507531.tif 000073
【０１３５】
実施例２
一例として、実施例２において、端末は、狭帯域ＰＢＣＨの受信後に、狭帯域ＰＢＣＨに携帯している１ビット指示情報から、狭帯域伝送の位置する周波数領域位置がＬＴＥシステム帯域幅で中心周波数を基準に区分された高周波帯それとも低周波帯に位置することを取得し、Ｃビットの指示情報から、中心周波数に対する狭帯域伝送の位置する周波数領域位置のサブキャリア偏移量を取得し、６個のサブキャリア毎に１つのＣＲＳを含むことから、ＬＴＥシステムＣＲＳにおける現在の狭帯域のＣＲＳの具体的な位置を確定することができる。例えば、狭帯域ＰＢＣＨに携帯している１ビット指示情報によって高周波帯を指示し、Ｃビットの指示情報によって指示されるサブキャリア偏移量Ｋ＝６６であり、６個のサブキャリア毎に１つのＣＲＳを含むことから、６６／６＝１１となり、すなわち中心周波数に対し高周波帯方向へ１１個のＣＲＳを偏移する。すなわち、当該狭帯域伝送のＣＲＳは、中心周波数に対し１０と１１で偏移したＣＲＳであり、すなわち中心周波数から高周波帯方向へ第１０、１１個のＣＲＳであり、すなわちｍ´＝１０９＋１０＝１１９とｍ´＝１０９＋１１＝１２０のＣＲＳであることに相当する。このとき、ＬＴＥシステム帯域幅およびシステム帯域幅に含まれる使用可能なＲＢ数が奇数であるか偶数であるかを取得する必要がない。
【０１３６】
上記偏移量は、１／２ＲＢまたは６個のサブキャリアを単位として算出されてもよい。この場合、
【数６８】
2019507531.tif 000074
個ビットの指示情報によって、中心周波数に対する現在の狭帯域の位置する周波数領域リソースの偏移量Ｋを指示する。例えば、Ｋ＝１，…
【数６９】
2019507531.tif 000075
。ここで、
【数７０】
2019507531.tif 000076
は、ＬＴＥシステムにおけるＡ種類の異なるシステム帯域幅のうち一種のシステム帯域幅に含まれる使用可能なＲＢ個数を示す。一部の実施例において、Ｃの値は、７を取る。例えば、最大ＬＴＥシステム帯域幅２０ＭＨｚ、
【数７１】
2019507531.tif 000077
を例とした場合、
【数７２】
2019507531.tif 000078
【０１３７】
実施例３
一例として、実施例３において、端末は、狭帯域ＰＢＣＨの受信後に、狭帯域ＰＢＣＨに携帯している１ビット指示情報から、狭帯域伝送の位置する周波数領域位置がＬＴＥシステム帯域幅で中心周波数を基準に区分された高周波帯それとも低周波帯に位置することを取得し、Ｃビット指示情報から、中心周波数に対する狭帯域伝送の位置する周波数領域位置の偏移量（当該偏移量は、１／２ＲＢまたは６個のサブキャリアを単位として算出される。）を取得し、１／２ＲＢ（６個のサブキャリア）毎に１つのＣＲＳを含むことから、ＬＴＥシステムＣＲＳにおける現在の狭帯域のＣＲＳの具体的な位置を確定することができる。Ｃビットによって指示されている値が奇数である場合、現在のＬＴＥシステム帯域幅に含まれる使用可能なＲＢ数が奇数であることを示し、すなわちＣＲＳとＲＢとの対応関係は、図１に示されている関係である。このとき端末にとってシステム帯域幅不明であるため、図１の
【数７３】
2019507531.tif 000079
の大きさが分からない。しかし、１ビットによって指示される周波帯偏移量および中心周波数に対する１／２ＲＢ量の偏移から、中心周波数に対する位置を推算することができる。例えば、Ｃビットによって指示される偏移量が１１であり、１ビットによって高周波帯を指示し、かつ指示されている偏移量が現在の狭帯域の高周波帯の中心周波数に対する偏移量であると規定すると、現在の狭帯域の位置する位置は、中心周波数から高周波帯へ１１個ＣＲＳを偏移した位置であることを示し、すなわち現在の狭帯域に対応するＣＲＳは、ＣＲＳシーケンスのうちｍ´＝１０９＋１１−１＝１１９とｍ´＝１０９＋１１＝１２０のＣＲＳである。または、現在の狭帯域の位置する位置は、中心周波数から高周波帯へ１１／２＝５．５個のＣＲＳを偏移した位置であることを示し、ここで０．５ＲＢは、中心周波数を含む中心ＲＢである。したがって、ｍ´＝１１１から高周波帯へ５個ＲＢを偏移したＲＢ、すなわち図１に示されている中心ＲＢから右へ数えて第５個のＲＢは、現在の狭帯域位置である。よって、当該狭帯域に対応するＣＲＳは、ＣＲＳシーケンスのうちｍ´＝１１０＋５×２−１＝１１９とｍ´＝１１０＋５×２＝１２０の位置のＣＲＳであり、または、ｍ´＝１０９＋５．５×２−１＝１１９とｍ´＝１０９＋５．５×２＝１２０のＣＲＳであることが分かる。一方、Ｃビットによって指示されている偏移量が偶数である場合、現在のＬＴＥシステム帯域幅に含まれる使用可能なＲＢ数が偶数であることを示し、すなわちＣＲＳとＲＢとの対応関係は、図２に示されている関係である。このとき端末にとってシステム帯域幅不明であるため、図２の
【数７４】
2019507531.tif 000080
の大きさが分からない。しかし、１ビットによって指示される周波帯偏移量および中心周波数に対する１／２ＲＢ量の偏移から、中心周波数に対する位置を推算することができる。例えば、Ｃビット指示値が１０であり、１ビットによって高周波帯を指示し、かつ指示されている偏移量が現在の狭帯域の高周波帯の中心周波数に対する偏移量であると規定すると、現在の狭帯域の位置する位置は、中心周波数から高周波帯へ１０個ＣＲＳを偏移した位置であることを示し、すなわち現在の狭帯域に対応するＣＲＳは、ＣＲＳシーケンスのうちｍ´＝１０９＋１０−１＝１１８とｍ´＝１０９＋１０＝１１９のＣＲＳである。または、現在の狭帯域の位置する位置は、中心周波数から高周波帯へ１０／２＝５個のＣＲＳを偏移した位置であることを示す。したがって、ｍ´＝１１０から高周波帯へ５個ＲＢを偏移したＲＢ、すなわち図２に示されている中心ＲＢから右へ数えて第５個のＲＢは、現在の狭帯域位置である。よって、当該狭帯域に対応するＣＲＳは、ＣＲＳシーケンスのうちｍ´＝１０９＋５×２−１＝１１８とｍ´＝１０９＋５×２＝１１９のＣＲＳであることが分かる。
【０１３８】
方法２−２
ＣＲＳの周波数領域位置指示情報は、ＬＴＥシステム帯域幅に含まれるＲＢ数が奇数であるか偶数であるかの指示情報、狭帯域伝送の位置する周波数領域リソースがＬＴＥシステム帯域幅で中心周波数を基準に区分された高周波帯それとも低周波帯に位置するかの指示情報、および、ＬＴＥシステム帯域幅の中心周波数に対する狭帯域伝送の位置する周波数領域位置のＲＢ偏移量（当該偏移量が整数である。）の指示情報を含む。
【０１３９】
伝送リソースのオーバーヘッドを減少させるには、ＣＲＳの周波数領域位置指示情報において、１ビット指示情報によって、ＬＴＥシステム帯域幅に含まれる使用可能なＲＢ数が奇数であるか偶数であるかを指示し（または１ビットの等価情報で代替する）、１ビット指示情報によって、現在の狭帯域伝送の位置する周波数領域リソースがＬＴＥシステム帯域幅で中心周波数を基準に区分された高周波帯それとも低周波帯に位置することを指示し、Ｄ（整数）ビット指示情報によって、ＬＴＥシステム帯域幅の中心周波数または中心ＲＢに対する現在の狭帯域伝送の位置する周波数領域リソースのＲＢ偏移量（当該偏移量が整数個のＲＢである。）を指示する。
【０１４０】
【数７５】
2019507531.tif 000081
ビット指示情報によって、現在の狭帯域の位置する周波数領域リソースが中心周波数または中心ＲＢに対して偏移したＲＢ数Ｋを指示することが好ましい。例えば、Ｋ＝１，…
【数７６】
2019507531.tif 000082
。ここで、
【数７７】
2019507531.tif 000083
は、ＬＴＥシステムにおけるＡ種類の異なるシステム帯域幅のうち一種のシステム帯域幅に含まれる使用可能なＲＢ個数を示す。一部の実施例において、Ｄの値は、例えば６を取る。例えば、最大ＬＴＥシステム帯域幅２０ＭＨｚ、
【数７８】
2019507531.tif 000084
を例とした場合、
【数７９】
2019507531.tif 000085
【０１４１】
さらに、上記方法において、システム帯域幅の一部の周波数領域位置のみが狭帯域伝送に用いられると限定するのであれば、上記Ｄの値を小さく取ることができ、さらに伝送のオーバーヘッドを節約することができる。
【０１４２】
実施例４
一例として、実施例４において、端末は、狭帯域ＰＢＣＨの受信後に、狭帯域ＰＢＣＨの１ビット指示情報から、ＬＴＥシステム帯域幅に含まれるＲＢ数が奇数であるか偶数であるかを取得し、ＬＴＥシステムＲＢとＬＴＥシステムＣＲＳとの対応関係が図１に示される方式であるか図２に示される方式であるかを確定し、さらにＤビットによって指示されているＲＢ偏移量および１ビットによって指示されている中心周波数に対する高・低周波帯位置に基づいて、対応するＲＢ位置を確定し、ＲＢとＣＲＳとの対応関係から当該ＲＢ内のＣＲＳを得る。例えば、１ビットによってＬＴＥシステム帯域幅に奇数個のＲＢが含まれていると指示すると、図１に示される対応関係であると確定し、ＤビットによってＲＢ偏移量が５であると指示し、かつ１ビットによって高周波帯であると指示すると、図１のマッピング関係から、中心ＲＢが存在し、高周波帯のＲＢ偏移は、中心ＲＢを基準に偏移する。従って、高周波帯のＣＲＳの開始ｍ´＝１１１であり、５個のＲＢを偏移し、各ＲＢに２つのＣＲＳが含まれることから、目標ＲＢすなわち現在の狭帯域の位置するＲＢでのＣＲＳは、ｍ´＝１１０＋５×２−１＝１１９とｍ´＝１１０＋５×２＝１２０のＣＲＳである。また例えば、１ビットによってＬＴＥシステム帯域幅に偶数個のＲＢが含まれていると指示すると、図２に示される対応関係であると確定し、ＤビットによってＲＢ偏移が５であると指示し、かつ１ビットによって高周波帯であると指示すると、図２のマッピング関係から、中心ＲＢが存在せず、高周波帯のＲＢ偏移は、中心ＲＢを基準に偏移する。従って、高周波帯のＣＲＳの開始ｍ´＝１１０であり、５個のＲＢを偏移し、各ＲＢに２つのＣＲＳが含まれることから、目標ＲＢすなわち現在の狭帯域の位置するＲＢでのＣＲＳは、ｍ´＝１０９＋５×２−１＝１１８とｍ´＝１０９＋５×２＝１１９のＣＲＳである。
【０１４３】
方法３
ＣＲＳの周波数領域位置指示情報によって、ＬＴＥシステムのＣＲＳシーケンスで前記狭帯域伝送の位置する周波数領域リソースに対応するＣＲＳの相対的位置を指示する。
【０１４４】
ＣＲＳの周波数領域位置指示情報は、狭帯域伝送の位置する周波数領域リソースがＬＴＥシステム帯域幅で中心周波数を基準に区分された高周波帯それとも低周波帯であるかの指示情報、および、中心周波数に対する狭帯域伝送に占用される周波数領域リソースに対応するＣＲＳの偏移量を含む。
【０１４５】
伝送リソースのオーバーヘッドを減少させるには、ＣＲＳの周波数領域位置指示情報において、１ビット指示情報によって、現在の狭帯域伝送の位置する周波数領域リソースがＬＴＥシステム帯域幅で中心周波数を基準に区分された高周波帯それとも低周波帯に位置するかを指示し、Ｅ（整数）ビット指示情報によって、中心周波数のＣＲＳに対する現在の狭帯域の位置する周波数領域リソースに対応するＣＲＳの偏移量を指示する。当該偏移量の具体的な表現形式は、上記方法２−２と同一であってもよいが、指示フィールドに対する物理的な解釈のみが異なる。
【０１４６】
【数８０】
2019507531.tif 000086
ビット指示情報によって、中心周波数のＣＲＳに対する現在の狭帯域の位置する周波数領域リソースに対応するＣＲＳの偏移量Ｋを指示することが好ましい。例えば、Ｋ＝１，…
【数８１】
2019507531.tif 000087
。ここで、
【数８２】
2019507531.tif 000088
は、ＬＴＥシステムにおけるＡ種類の異なるシステム帯域幅のうち一種のシステム帯域幅に含まれる使用可能なＲＢ個数を示す。一部の実施例において、Ｅの値は、例えば７を取る。
【数８３】
2019507531.tif 000089
は、ＬＴＥシステムで１つのＲＢに含まれるサブキャリア数を示す。例えば、ＬＴＥシステム帯域幅２０ＭＨｚ、
【数８４】
2019507531.tif 000090
を例とした場合、
【数８５】
2019507531.tif 000091
【０１４７】
さらに、上記方法において、システム帯域幅の一部の周波数領域位置のみが狭帯域伝送に用いられると限定するのであれば、上記Ｅの値を小さく取ることができ、さらに伝送オーバーヘッドを節約することができる。
【０１４８】
実施例５
一例として、実施例５において、端末は、狭帯域ＰＢＣＨの受信後に、ＰＢＣＨにおけるＥビットによって指示されているＣＲＳ偏移量および１ビットによって指示されている中心周波数に対する高・低周波帯位置から、ＬＴＥシステムＣＲＳにおける現在の狭帯域のＣＲＳの具体的な位置を確定することができる。図１、図２に示されている奇数個や偶数個のＲＢを含む異なるシステム帯域幅のＣＲＳマッピング状況について、いずれの場合であっても、中心周波数を境として、中心周波数より高い周波帯内で常にｍ´＝１１０から逓増し、中心周波数より低い周波帯内で常にｍ´＝１０９から逓減することが分かる。したがって、システム帯域幅およびＲＢとｍ´との対応関係が図１の方式であるか図２の方式であるかを知る必要がなく、中心周波数に対するｍ´の逓増値または逓減値を知っていれば、対応位置のＣＲＳを取得することができる。例えば、Ｅビット指示値が１１であり、１ビットによって高周波帯を指示し、かつ指示されている偏移量が現在の狭帯域の高周波帯の中心周波数に対する偏移量であると規定すると、現在の狭帯域の位置のＣＲＳは、中心周波数位置から高周波帯へ１１個を偏移したＣＲＳであることを示し、すなわち現在の狭帯域に対応するＣＲＳは、ＣＲＳシーケンスのうちｍ´＝１０９＋１１−１＝１１９とｍ´＝１０９＋１１＝１２０のＣＲＳである。
【０１４９】
以上の記載をまとめると、本開示の上記各実施例において、狭帯域ＰＢＣＨに携帯している、ＬＴＥシステムにおけるＣＲＳのポート数および周波数領域位置のうちの１つまたは複数の組み合わせを指示するためのＣＲＳ伝送指示情報によって、ＬＴＥ端末と同時にＬＴＥ帯域幅内で動作する狭帯域端末は、ＬＴＥシステムにおけるＣＲＳを取得することができ、さらに狭帯域の下りリンク伝送においてＬＴＥシステムにおけるＣＲＳを使用して復調を行うことができ、当該ＣＲＳに基づいた信号受信が実現する。
【０１５０】
同一の技術思想に基づいて、本開示の実施例は、狭帯域ＰＢＣＨの送信が可能である狭帯域ＰＢＣＨ伝送装置をさらに提供している。
【０１５１】
図４は、本開示の実施例による狭帯域ＰＢＣＨ伝送装置の構造図である。図示のように、当該装置は、ＣＲＳ伝送指示情報を狭帯域ＰＢＣＨに携帯せるための処理モジュール４０１と、前記狭帯域ＰＢＣＨを伝送するための伝送モジュール４０２を含んでもよい。
【０１５２】
ここで、ＣＲＳ伝送指示情報の具体的な内容および送信方式、ならびに狭帯域ＰＢＣＨに携帯する他の情報は、上述した実施例の記載を参照されたく、ここでは繰り返して記載しない。
【０１５３】
同一の技術思想に基づいて、本開示の実施例は、狭帯域ＰＢＣＨの受信が可能である狭帯域ＰＢＣＨ伝送装置をさらに提供している。
【０１５４】
図５は、本開示の実施例による狭帯域ＰＢＣＨ伝送装置の構造図である。図５に示されているように、当該装置は、少なくともＣＲＳ伝送指示情報を携帯している狭帯域ＰＢＣＨを受信するための第１受信モジュール５０１を含んでもよく、前記ＣＲＳ伝送指示情報に基づいてＣＲＳを受信するための第２受信モジュール５０２をさらに含んでもよい。
【０１５５】
ここで、ＣＲＳ伝送指示情報の具体的な内容および送信方式、ならびに狭帯域ＰＢＣＨに携帯する他の情報は、上述した実施例の記載を参照されたく、ここでは繰り返して記載しない。
【０１５６】
同一の技術思想に基づいて、本開示の別の実施例は、狭帯域ＰＢＣＨの送信が可能であるネットワーク側機器をさらに提供している。１つの具体的な応用シーンにおいて、当該機器は、例えば以上言及された各種類の基地局のいずれであってもよい。例えば、当該基地局は、ＬＴＥシステムまたはその進化システムにおけるＥｖｏｌｕｔｉｏｎａｌ  Ｎｏｄｅ  Ｂ（ｅＮＢまたはｅ−ＮｏｄｅＢ）、マクロ基地局、マイクロ基地局（「スモール基地局」とも言う）、ピコ基地局、ＡＰ（Ａｃｃｅｓｓ  Ｐｏｉｎｔ）またはＴＰ（Ｔｒａｎｓｍｉｓｓｉｏｎ  Ｐｏｉｎｔ）などであってもよい。
【０１５７】
図６は、本開示の実施例による機器の構造図である。図６に示されているように、当該ネットワーク側機器は、プロセッサ６０１と、メモリ６０２と、トランシーバ６０３と、バスインタフェースを含んでもよい。
【０１５８】
プロセッサ６０１は、バスアーキテクチャと通常の処理を管理する。メモリ６０２は、プロセッサ６０１による操作実行時に使用されるデータの記憶ができる。トランシーバ６０３は、プロセッサ６０１による制御でデータを送受信する。
【０１５９】
バスアーキテクチャは、任意数の相互接続するバスとブリッジを含み、具体的に、プロセッサ６０１をはじめとする１つ又は複数のプロセッサとメモリ６０２をはじめとするメモリの各種類の回路を接続したものである。バスアーキテクチャは、周辺機器、レギュレーター、電力管理回路などの各種類のほかの回路を接続したものであってもよい。これらは、いずれも本分野の公知事項であり、本文においてさらなる記載をしない。バスインタフェースにより、インタフェースが提供される。プロセッサ６０１は、バスアーキテクチャと通常の処理を管理する。メモリ６０２は、プロセッサ６０１による操作実行時に使用されるデータを記憶する。
【０１６０】
本開示の実施例に開示されている狭帯域ＰＢＣＨ伝送フローは、プロセッサ６０１に応用可能であり、またはプロセッサ６０１によって実現される。実現過程において、データ処理フローの各ステップは、プロセッサ６０１におけるハードウェアの集積論理回路またはソフトウェア形式の指令によって遂行される。プロセッサ６０１は、汎用プロセッサ、デジタル信号プロセッサ、専用集積回路、ＦＰＧＡまたは他のプログラマブル論理デバイス、分離ゲートまたはトランジスタ論理デバイス、分離ハードウェアコンポーネントであり、本開示の実施例における各方法、ステップおよび論理ブロック図を実現または実行することができる。汎用プロセッサは、マイクロプロセッサまたは任意の通常プロセッサなどである。本開示の実施例による方法のステップは、直接ハードウェアのプロセッサによって実行されて遂行されるか、プロセッサにおけるハードウェアおよびソフトウェアモジュールの組み合わせによって実行されて遂行される。ソフトウェアモジュールは、ＲＡＭ、フラッシュメモリ、ＲＯＭ、ＰＲＯＭまたはＥＥＰＲＯＭ、レジスタなど本分野の周知の記憶媒体に位置する。当該記憶媒体は、メモリ６０２に位置する。プロセッサ６０１は、メモリ６０２における情報を読み取って、そのハードウェアと組み合わせて信号処理フローのステップを遂行する。
【０１６１】
具体的に、プロセッサ６０１は、メモリ６０２の中のプログラムを読み取って、少なくともＣＲＳ伝送指示情報を携帯している狭帯域ＰＢＣＨを伝送するプロセスを実行する。
【０１６２】
ここで、ＣＲＳ伝送指示情報の具体的な内容および送信方式、ならびに狭帯域ＰＢＣＨに携帯する他の情報は、上述した実施例の記載を参照されたく、ここでは繰り返して記載しない。
【０１６３】
同一の技術思想に基づいて、本開示の別の実施例は、狭帯域ＰＢＣＨの受信が可能である端末側機器をさらに提供している。１つの具体的な応用シーンにおいて、当該端末側機器は、例えば以上言及された各種類の端末のいずれであってもよい。例えば、当該端末は、ＵＥ（Ｕｓｅｒ  Ｅｑｕｉｐｍｅｎｔ）と呼ばれてもよく、または、Ｔｅｒｍｉｎａｌ、ＭＳ（Ｍｏｂｉｌｅ  Ｓｔａｔｉｏｎ）、移動端末（Ｍｏｂｉｌｅ  Ｔｅｒｍｉｎａｌ）などと呼ばれてもよい。当該端末は、ＲＡＮ（Ｒａｄｉｏ  Ａｃｃｅｓｓ  Ｎｅｔｗｏｒｋ）を介して１つまたは複数のコアネットワークと通信することができる。特に、本開示の実施例における端末は、ＬＴＥまたはその進化システムで動作できる狭帯域端末、例えばＭＴＣ（Ｍａｃｈｉｎｅ−Ｔｙｐｅ  Ｃｏｍｍｕｎｉｃａｔｉｏｎ）端末を指す。
【０１６４】
図７は、本開示の実施例による端末側機器の構造図である。図７に示されているように、当該機器は、プロセッサ７０１と、メモリ７０２と、トランシーバ７０３と、バスインタフェースを含んでもよい。
【０１６５】
プロセッサ７０１は、バスアーキテクチャと通常の処理を管理する。メモリ７０２は、プロセッサ７０１による操作実行時に使用されるデータの記憶ができる。トランシーバ７０３は、プロセッサ７０１による制御でデータを送受信する。
【０１６６】
バスアーキテクチャは、任意数の相互接続するバスとブリッジを含み、具体的に、プロセッサ７０１をはじめとする１つ又は複数のプロセッサとメモリ７０２をはじめとするメモリの各種類の回路を接続したものである。バスアーキテクチャは、周辺機器、レギュレーター、電力管理回路などの各種類のほかの回路を接続したものであってもよい。これらは、いずれも本分野の公知事項であり、本文においてさらなる記載をしない。バスインタフェースにより、インタフェースが提供される。プロセッサ７０１は、バスアーキテクチャと通常の処理を管理する。メモリ７０２は、プロセッサ７００による操作実行時に使用されるデータを記憶する。
【０１６７】
本開示の実施例に開示されている狭帯域ＰＢＣＨ伝送フローは、プロセッサ７０１に応用可能であり、またはプロセッサ７０１によって実現される。実現過程において、データ処理フローの各ステップは、プロセッサ７０１におけるハードウェアの集積論理回路またはソフトウェア形式の指令によって遂行される。プロセッサ７０１は、汎用プロセッサ、デジタル信号プロセッサ、専用集積回路、ＦＰＧＡまたは他のプログラマブル論理デバイス、分離ゲートまたはトランジスタ論理デバイス、分離ハードウェアコンポーネントであり、本開示の実施例における各方法、ステップおよび論理ブロック図を実現または実行することができる。汎用プロセッサは、マイクロプロセッサまたは任意の通常プロセッサなどである。本開示の実施例による方法のステップは、直接ハードウェアのプロセッサによって実行されて遂行されるか、プロセッサにおけるハードウェアおよびソフトウェアモジュールの組み合わせによって実行されて遂行される。ソフトウェアモジュールは、ＲＡＭ、フラッシュメモリ、ＲＯＭ、ＰＲＯＭまたはＥＥＰＲＯＭ、レジスタなど本分野の周知の記憶媒体に位置する。当該記憶媒体は、メモリ７０２に位置する。プロセッサ７０１は、メモリ７０２における情報を読み取って、そのハードウェアと組み合わせて信号処理フローのステップを遂行する。
【０１６８】
具体的に、プロセッサ７０１は、メモリ７０２の中のプログラムを読み取って、少なくともＣＲＳ伝送指示情報を携帯しているＮＢ−ＰＢＣＨを受信するプロセスを実行する。さらに、前記ＣＲＳ伝送指示情報に基づいてＣＲＳを受信する。
【０１６９】
ここで、ＣＲＳ伝送指示情報の具体的な内容および送信方式、ならびに狭帯域ＰＢＣＨに携帯する他の情報は、上述した実施例の記載を参照されたく、ここでは繰り返して記載しない。
【０１７０】
本開示は、本開示の実施例による方法、デバイス（システム）及びコンピュータプログラムプロダクトのフローチャート及び／又はブロック図を参照にして記載されている。フローチャート及び／又はブロック図における各フロー及び／又はブロック、及びフローチャート及び／又はブロック図におけるフロー及び／又はブロックの組み合わせは、コンピュータプログラムコマンドにより実現されうると理解されるべきである。これらのコンピュータプログラムコマンドを汎用コンピュータ、専用コンピュータ、嵌め込み式プロセッサ又は他のプログラマブルデータ処理デバイスのプロセッサに提供して１つの機器を形成し、コンピュータ又は他のプログラマブルデータ処理デバイスのプロセッサにより実行される指令により、フローチャートの１つ又は複数のフロー及び／又はブロック図の１つ又は複数のブロックで指定される機能を実現するための装置を形成する。
【０１７１】
これらのコンピュータプログラムコマンドは、コンピュータ又は他のプログラマブルデータ処理デバイスに特定の方式で動作させるを導けるコンピュータ読み出し可能なメモリに格納されてもよく、当該コンピュータ読み出し可能なメモリに格納されるコマンドにより、コマンド装置を含むプロダクトを形成する。当該コマンド装置は、フローチャートの１つ又は複数のフロー及び／又はブロック図の１つ又は複数のブロックで指定される機能を実現する。
【０１７２】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フローチャートの１つ又は複数のフロー及び／又はブロック図の１つ又は複数のブロックで指定される機能を実現するためのステップを提供する。
【０１７３】
本開示の好適な実施例を記載したが、当業者は、基本的な創造性概念をいったん知ると、これらの実施例に対し別の変更や修正をすることができる。従って、添付の特許請求の範囲は、好適な実施例及び本開示の範囲に入る全ての変更や修正を含むことを意図する。
【０１７４】
明らかに、当業者は、本開示の精神や範囲を逸脱せずに、本開示に対して様々な変更や変形をすることができる。このように、本開示のこれらの修正や変形が本開示の請求項及びその同等の技術範囲に含まれるものであれば、本開示は、これらの変更や変形を含むことを意図する。
【図１】
2019507531.tif 000128
【図２】
2019507531.tif 000129
【図３】
2019507531.tif 000130
【図４】
2019507531.tif 000131
【図５】
2019507531.tif 000132
【図６】
2019507531.tif 000133
【図７】
2019507531.tif 000134
【手続補正書】
【提出日】平成30年9月6日(2018.9.6)
【手続補正１】
【補正対象書類名】特許請求の範囲
【補正対象項目名】全文
【補正方法】変更
【補正の内容】
【特許請求の範囲】
【請求項１】
少なくともＣＲＳ伝送指示情報を携帯しているＮＢ−ＰＢＣＨをネットワーク側機器によって伝送することを含むＮＢ−ＰＢＣＨ伝送方法。
【請求項２】
前記ＣＲＳ伝送指示情報は、ＬＴＥシステムにおけるＣＲＳポート数指示情報、ＬＴＥシステムにおけるＣＲＳ周波数領域位置指示情報のうちの１つまたは任意の組み合わせを含む請求項１に記載の方法。
【請求項３】
前記ＣＲＳポート数指示情報は、１ポートまたは２ポートＣＲＳ伝送のうちの１つを指示するための１ビットＣＲＳポート数指示情報、または、１ポート、２ポートまたは４ポートＣＲＳ伝送のうちの１つを指示するための２ビットＣＲＳポート数指示情報を含む請求項２に記載の方法。
【請求項４】
前記ＣＲＳ周波数領域位置指示情報は、
前記ＣＲＳ周波数領域位置指示情報が、ＬＴＥシステム帯域幅および当該ＬＴＥシステム帯域幅における前記狭帯域伝送のＲＢ位置を指示する用途Ａ
又は、前記ＣＲＳ周波数領域位置指示情報が、ＬＴＥシステムにおける特定周波数領域位置に対する前記狭帯域伝送の位置する周波数領域位置の偏移量を指示する用途Ｂ、
又は、前記ＣＲＳ周波数領域位置指示情報が、ＬＴＥシステムのＣＲＳシーケンスで、前記狭帯域伝送の位置する周波数領域リソースに対応するＣＲＳの相対的位置を指示する用途Ｃを含む請求項２に記載の方法。
【請求項５】
前記用途Ａを採用する場合に、前記ＣＲＳ周波数領域位置指示情報は、ＬＴＥシステム帯域幅を指示するためのＮビット指示情報および前記ＬＴＥシステム帯域幅における前記狭帯域伝送のＲＢ番号または位置を指示するためのＢビット指示情報を含み、または、ＬＴＥシステム帯域幅と当該ＬＴＥシステム帯域幅における前記狭帯域伝送のＲＢ番号または位置との結合情報を指示するためのＫビット指示情報を含む請求項４に記載の方法。
【請求項６】
前記Ｎは、
【数１】
2019507531.tif 000135
または３であり、
および／または、
前記Ｂは、
【数２】
2019507531.tif 000136
または
【数３】
2019507531.tif 000137
または
【数４】
2019507531.tif 000138
または７であり、
および／または、
前記Ｋは、
【数５】
2019507531.tif 000139
または９または８である請求項５に記載の方法。
【請求項７】
前記用途Ｂを採用する場合に、
方案１：前記ＣＲＳ周波数領域位置指示情報は、前記狭帯域伝送の位置する周波数領域リソースがＬＴＥシステム帯域幅で中心周波数を基準に区分された高周波帯か低周波帯かに位置することを指示するための１ビット指示情報、および、中心周波数に対する前記狭帯域伝送の位置する周波数領域位置の偏移量を指示するためのＣビット指示情報を含み、
前記偏移量は、サブキャリア偏移量であり、または、二分の一のＲＢまたは６個のサブキャリアを単位に算出された偏移量であり、
または、
方案２：前記ＣＲＳ周波数領域位置指示情報は、
ＬＴＥシステム帯域幅に含まれる使用可能なＲＢ数が奇数であるか偶数であるかを指示するための１ビット指示情報、
前記狭帯域伝送の位置する周波数領域リソースがＬＴＥシステム帯域幅で中心周波数を基準に区分された高周波帯か低周波帯かに位置することを指示するための１ビット指示情報、および、
ＬＴＥシステム帯域幅の中心周波数または中心ＲＢに対する前記狭帯域伝送の位置する周波数領域位置のＲＢ偏移量（当該偏移量が整数個のＲＢである。）を指示するためのＤビット指示情報を含む請求項４に記載の方法。
【請求項８】
前記偏移量がサブキャリア偏移量である場合、
前記Ｃは、
【数６】
2019507531.tif 000140
または１０であり、
または、前記偏移量が二分の一のＲＢまたは６個のサブキャリアを単位に算出された偏移量である場合、
前記Ｃは、
【数７】
2019507531.tif 000141
または７であり、
または、前記Ｄは、
【数８】
2019507531.tif 000142
または６である請求項７に記載の方法。
【請求項９】
前記用途Ｃを採用する場合に、前記ＣＲＳ周波数領域位置指示情報は、前記狭帯域伝送の位置する周波数領域リソースがＬＴＥシステム帯域幅で中心周波数を基準に区分された高周波帯であるか低周波帯であるかを指示するための１ビット指示情報、および、中心周波数のＣＲＳに対する前記狭帯域伝送に占用される周波数領域リソースに対応するＣＲＳの偏移量を指示するためのＥビット指示情報を含む請求項４に記載の方法。
【請求項１０】
前記Ｅは、
【数９】
2019507531.tif 000143
または７である請求項９に記載の方法。
【請求項１１】
前記狭帯域ＰＢＣＨには、当該狭帯域にＬＴＥ制御領域が含まれるかを指示するための指示情報、ＬＴＥ制御領域のサイズを指示するための指示情報のうちの１つまたは組み合わせをさらに携帯する請求項１〜１０のいずれか一項に記載の方法。
【請求項１２】
ＣＲＳ伝送指示情報を携帯しているＮＢ−ＰＢＣＨを端末側機器によって受信することを含むＮＢ−ＰＢＣＨ伝送方法。
【請求項１３】
前記ＣＲＳ伝送指示情報は、ＬＴＥシステムにおけるＣＲＳポート数指示情報、ＬＴＥシステムにおけるＣＲＳ周波数領域位置指示情報のうちの１つまたは任意の組み合わせを含む請求項１２に記載の方法。
【請求項１４】
前記ＣＲＳポート数指示情報は、１ポートまたは２ポートＣＲＳ伝送のうちの１つを指示するための１ビットＣＲＳポート数指示情報、または、１ポート、２ポートまたは４ポートＣＲＳ伝送のうちの１つを指示するための２ビットＣＲＳポート数指示情報を含む請求項１３に記載の方法。
【請求項１５】
前記ＣＲＳ周波数領域位置指示情報は、
前記ＣＲＳ周波数領域位置指示情報が、ＬＴＥシステム帯域幅および当該ＬＴＥシステム帯域幅における前記狭帯域伝送のＲＢ位置を指示する用途Ａ
又は、前記ＣＲＳ周波数領域位置指示情報が、ＬＴＥシステムにおける特定周波数領域位置に対する前記狭帯域伝送の位置する周波数領域位置の偏移量を指示する用途Ｂ、
又は、前記ＣＲＳ周波数領域位置指示情報が、ＬＴＥシステムのＣＲＳシーケンスで、前記狭帯域伝送の位置する周波数領域リソースに対応するＣＲＳの相対的位置を指示する用途Ｃを含む請求項１３に記載の方法。
【請求項１６】
用途Ａを採用する場合に、前記ＣＲＳ周波数領域位置指示情報は、ＬＴＥシステム帯域幅を指示するためのＮビット指示情報および前記ＬＴＥシステム帯域幅における前記狭帯域伝送のＲＢ番号または位置を指示するためのＢビット指示情報を含み、または、ＬＴＥシステム帯域幅と当該ＬＴＥシステム帯域幅における前記狭帯域伝送のＲＢ番号または位置との結合情報を指示するためのＫビット指示情報を含む請求項１５に記載の方法。
【請求項１７】
前記Ｎは、
【数１０】
2019507531.tif 000144
または３であり、
および／または、
前記Ｂは、
【数１１】
2019507531.tif 000145
または
【数１２】
2019507531.tif 000146
または
【数１３】
2019507531.tif 000147
または７であり、
および／または、
前記Ｋは、
【数１４】
2019507531.tif 000148
または９または８である請求項１６に記載の方法。
【請求項１８】
前記用途Ｂを採用する場合に、
方案１：前記ＣＲＳ周波数領域位置指示情報は、前記狭帯域伝送の位置する周波数領域リソースがＬＴＥシステム帯域幅で中心周波数を基準に区分された高周波帯か低周波帯かに位置することを指示するための１ビット指示情報、および、中心周波数に対する前記狭帯域伝送の位置する周波数領域位置の偏移量を指示するためのＣビット指示情報を含み、
前記偏移量は、サブキャリア偏移量であり、または、二分の一のＲＢまたは６個のサブキャリアを単位に算出された偏移量であり、
または、
方案２：前記ＣＲＳ周波数領域位置指示情報は、
ＬＴＥシステム帯域幅に含まれる使用可能なＲＢ数が奇数であるか偶数であるかを指示するための１ビット指示情報、
前記狭帯域伝送の位置する周波数領域リソースがＬＴＥシステム帯域幅で中心周波数を基準に区分された高周波帯か低周波帯かに位置することを指示するための１ビット指示情報、および、
ＬＴＥシステム帯域幅の中心周波数または中心ＲＢに対する前記狭帯域伝送の位置する周波数領域位置のＲＢ偏移量（当該偏移量が整数個のＲＢである。）を指示するためのＤビット指示情報を含む請求項１５に記載の方法。
【請求項１９】
前記偏移量がサブキャリア偏移量である場合、
前記Ｃは、
【数１５】
2019507531.tif 000149
または１０であり、
または、前記偏移量が二分の一のＲＢまたは６個のサブキャリアを単位に算出された偏移量である場合、
前記Ｃは、
【数１６】
2019507531.tif 000150
または７であり、
または、前記Ｄは、
【数１７】
2019507531.tif 000151
または６である請求項１８に記載の方法。
【請求項２０】
前記用途Ｃを採用する場合に、前記ＣＲＳ周波数領域位置指示情報は、前記狭帯域伝送の位置する周波数領域リソースがＬＴＥシステム帯域幅で中心周波数を基準に区分された高周波帯であるか低周波帯であるかを指示するための１ビット指示情報、および、中心周波数のＣＲＳに対する前記狭帯域伝送に占用される周波数領域リソースに対応するＣＲＳの偏移量を指示するためのＥビット指示情報を含む請求項１５に記載の方法。
【請求項２１】
前記Ｅは、
【数１８】
2019507531.tif 000152
または７である請求項２０に記載の方法。
【請求項２２】
前記狭帯域ＰＢＣＨには、当該狭帯域にＬＴＥ制御領域が含まれるかを指示するための指示情報、ＬＴＥ制御領域のサイズを指示するための指示情報のうちの１つまたは組み合わせをさらに携帯する請求項１２〜２１のいずれか一項に記載の方法。
【請求項２３】
ＣＲＳ伝送指示情報を狭帯域ＰＢＣＨに携帯させるための処理モジュールと、前記狭帯域ＰＢＣＨを伝送するための伝送モジュールを含むＮＢ−ＰＢＣＨ伝送装置。
【請求項２４】
少なくともＣＲＳ伝送指示情報を携帯しているＮＢ−ＰＢＣＨを受信するための第１受信モジュールを含むＮＢ−ＰＢＣＨ伝送装置。
【請求項２５】
前記ＣＲＳ伝送指示情報は、ＬＴＥシステムにおけるＣＲＳポート数指示情報、ＬＴＥシステムにおけるＣＲＳ周波数領域位置指示情報のうちの１つまたは任意の組み合わせを含む請求項２３又は２４に記載の装置。
【請求項２６】
前記ＣＲＳポート数指示情報は、１ポートまたは２ポートＣＲＳ伝送のうちの１つを指示するための１ビットＣＲＳポート数指示情報、または、１ポート、２ポートまたは４ポートＣＲＳ伝送のうちの１つを指示するための２ビットＣＲＳポート数指示情報を含む請求項２５に記載の装置。
【請求項２７】
前記ＣＲＳ周波数領域位置指示情報は、ＬＴＥシステム帯域幅および当該ＬＴＥシステム帯域幅における前記狭帯域伝送のＲＢ位置を指示するためのものであり、
または、
前記ＣＲＳ周波数領域位置指示情報は、ＬＴＥシステムにおける特定周波数領域位置に対する前記狭帯域伝送の位置する周波数領域位置の偏移量を指示するためのものであり、
または、
前記ＣＲＳ周波数領域位置指示情報は、ＬＴＥシステムのＣＲＳシーケンスで、前記狭帯域伝送の位置する周波数領域リソースに対応するＣＲＳの相対的位置を指示するためのものである請求項２５に記載の装置。
【請求項２８】
前記ＣＲＳ周波数領域位置指示情報は、ＬＴＥシステム帯域幅および当該ＬＴＥシステム帯域幅における前記狭帯域伝送のＲＢ位置を指示するためのものである場合に、
前記ＣＲＳ周波数領域位置指示情報は、ＬＴＥシステム帯域幅を指示するためのＮビット指示情報および前記ＬＴＥシステム帯域幅における前記狭帯域伝送のＲＢ番号または位置を指示するためのＢビット指示情報を含み、または、ＬＴＥシステム帯域幅と当該ＬＴＥシステム帯域幅における前記狭帯域伝送のＲＢ番号または位置との結合情報を指示するためのＫビット指示情報を含む請求項２７に記載の装置。
【請求項２９】
前記Ｎは、
【数１９】
2019507531.tif 000153
または３であり、
および／または、
前記Ｂは、
【数２０】
2019507531.tif 000154
または
【数２１】
2019507531.tif 000155
または
【数２２】
2019507531.tif 000156
または７であり、
および／または
前記Ｋは、
【数２３】
2019507531.tif 000157
または９または８である請求項２８に記載の装置。
【請求項３０】
前記ＣＲＳ周波数領域位置指示情報は、ＬＴＥシステムにおける特定周波数領域位置に対する前記狭帯域伝送の位置する周波数領域位置の偏移量を指示するためのものである場合に、
前記ＣＲＳ周波数領域位置指示情報は、前記狭帯域伝送の位置する周波数領域リソースがＬＴＥシステム帯域幅で中心周波数を基準に区分された高周波帯か低周波帯かに位置することを指示するための１ビット指示情報、および、中心周波数に対する前記狭帯域伝送の位置する周波数領域位置の偏移量を指示するためのＣビット指示情報を含み、
前記偏移量は、サブキャリア偏移量であり、または、二分の一のＲＢまたは６個のサブキャリアを単位に算出された偏移量であり、
または、
前記ＣＲＳ周波数領域位置指示情報は、
ＬＴＥシステム帯域幅に含まれる使用可能なＲＢ数が奇数であるか偶数であるかを指示するための１ビット指示情報、
前記狭帯域伝送の位置する周波数領域リソースがＬＴＥシステム帯域幅で中心周波数を基準に区分された高周波帯か低周波帯かに位置することを指示するための１ビット指示情報、および、
ＬＴＥシステム帯域幅の中心周波数または中心ＲＢに対する前記狭帯域伝送の位置する周波数領域位置のＲＢ偏移量（当該偏移量が整数個のＲＢである）を指示するためのＤビット指示情報を含む請求項２７に記載の装置。
【請求項３１】
前記偏移量がサブキャリア偏移量である場合、
前記Ｃは、
【数２４】
2019507531.tif 000158
または１０であり、
または、前記偏移量が二分の一のＲＢまたは６個のサブキャリアを単位に算出された偏移量である場合、
前記Ｃは、
【数２５】
2019507531.tif 000159
または７であり、
または、前記Ｄは、
【数２６】
2019507531.tif 000160
または６である請求項３０に記載の装置。
【請求項３２】
前記ＣＲＳ周波数領域位置指示情報は、前記狭帯域伝送の位置する周波数領域リソースがＬＴＥシステム帯域幅で中心周波数を基準に区分された高周波帯であるか低周波帯であるかを指示するための１ビット指示情報、および、中心周波数のＣＲＳに対する前記狭帯域伝送に占用される周波数領域リソースに対応するＣＲＳの偏移量を指示するためのＥビット指示情報を含む請求項２７に記載の装置。
【請求項３３】
前記Ｅは、
【数２７】
2019507531.tif 000161
または７である請求項３２に記載の装置。
【請求項３４】
前記狭帯域ＰＢＣＨには、当該狭帯域にＬＴＥ制御領域が含まれるかを指示するための指示情報、ＬＴＥ制御領域のサイズを指示するための指示情報のうちの１つまたは組み合わせをさらに携帯する請求項２３〜３３のいずれか一項に記載の装置。
【国際調査報告】
2019507531.tif 000162
2019507531.tif 000163
2019507531.tif 000164
2019507531.tif 000165